(57)【特許請求の範囲】
【請求項１】
第１のモードおよび第２のモードで、アクセスポイントとワイヤレスに通信するための第１の通信インターフェースと、
プロキシデバイスとワイヤレスに通信するための第２の通信インターフェースと、
前記第１の通信インターフェースおよび前記第２の通信インターフェースに結合された処理回路と
を備える、クライアント端末であって、前記処理回路は、
前記第１の通信インターフェースが前記アクセスポイントと通信可能に接続される、前記第１のモードでデータチャネルをモニタするために動作し、
前記クライアント端末向けの前記データチャネルをモニタし、前記第２の通信インターフェースを介して前記クライアント端末向けのデータメッセージを転送することによって、プロキシデバイスに前記第１のモードでプロキシとして動作するように要求する要求を、前記プロキシデバイスへ送信し、ここで、前記データチャネルは、シグナリング／制御チャネルと異なる、
前記第１の通信インターフェースが前記アクセスポイントから通信可能に切断されつつ、前記クライアント端末が前記第１のモードで動作していると前記アクセスポイントが依然として判断する、前記第２のモードで動作し、
前記プロキシデバイスからの前記データチャネルに対応する転送されたデータメッセージについて前記第２の通信インターフェースをモニタする
ように構成されることを特徴とする、クライアント端末。
【請求項２】
前記第１の通信インターフェースを使うことは、前記第２の通信インターフェースを使うことよりも多くの電力を消費する、
請求項１に記載のクライアント端末。
【請求項３】
前記第１の通信インターフェースは、前記第２の通信インターフェースよりも長い距離を有する、
請求項１に記載のクライアント端末。
【請求項４】
前記第１の通信インターフェースは、前記第２の通信インターフェースよりも広い帯域幅を有する、
請求項１に記載のクライアント端末。
【請求項５】
前記第１の通信インターフェースおよび前記第２の通信インターフェースのうちの少なくとも１つが、ワイヤレス通信インターフェースである、
請求項１に記載のクライアント端末。
【請求項６】
前記第１のモードの前記クライアント端末は、前記第１の通信インターフェースを介して、データメッセージについて前記データチャネルをモニタする、
請求項１に記載のクライアント端末。
【請求項７】
前記第２のモードの前記データチャネルは、前記クライアント端末によってモニタされない、
請求項１に記載のクライアント端末。
【請求項８】
前記第１の通信インターフェースは、符号分割多元接続（ＣＤＭＡ）対応インターフェースであり、前記第２の通信インターフェースが任意のＢｌｕｅｔｏｏｔｈ対応インターフェースである、
請求項１に記載のクライアント端末。
【請求項９】
処理回路は、
前記クライアント端末が前記第１のモードから前記第２のモードへ切り替わるべきかどうかを判定し、
前記第１の通信インターフェースの非活動時間が閾値の時間を超えると、前記第１のモードから前記第２のモードへ切り替わる
ようにさらに構成される、請求項１に記載のクライアント端末。
【請求項１０】
前記処理回路は、
前記第２の通信インターフェースを介して、前記プロキシデバイスから転送されたデータメッセージを受信する
ようにさらに構成される、請求項１に記載のクライアント端末。
【請求項１１】
前記処理回路は、
前記転送されたデータメッセージを受信した後、前記クライアント端末が前記第２のモードから前記第１のモードに切り替わるべきであるかどうかを判定し、
前記データチャネルを通じた追加のデータメッセージが予測される場合に、前記第１のモードへ切り替える
ように構成される、請求項１０に記載のクライアント端末。
【請求項１２】
前記処理回路は、
前記第２の通信インターフェースを介して、確認応答メッセージを前記プロキシデバイスに送信する
ようにさらに構成される、請求項１０に記載のクライアント端末。
【請求項１３】
前記処理回路は、
前記プロキシデバイスから起動信号を受信し、前記起動信号が、前記クライアント端末向けのデータメッセージが前記データチャネルを通じてすぐに来ることを示し、
前記起動信号の結果として、前記第１のモードへ切り替わる
ようにさらに構成される、請求項１０に記載のクライアント端末。
【請求項１４】
第１のモードおよび第２のモードでアクセスポイントとワイヤレスに通信するための第１の通信インターフェースを備える、クライアント端末上で動作可能な方法であって、前記方法は、
第１の通信インターフェースが前記アクセスポイントと通信可能に接続される、前記第１のモードでデータチャネルをモニタするために前記クライアント端末を動作させることと、
前記クライアント端末向けの前記データチャネルをモニタし、第２の通信インターフェースを介して前記クライアント端末向けのデータメッセージを転送することによって、プロキシデバイスに前記第１のモードでプロキシとして動作するように要求する要求を、前記プロキシデバイスへ送信することと、ここで、前記データチャネルは、シグナリング／制御チャネルと異なる、
前記第１の通信インターフェースが前記アクセスポイントから通信可能に切断されつつ、前記クライアント端末が前記第１のモードで動作していると前記アクセスポイントが依然として判断する、前記第２のモードで動作することと、
前記プロキシデバイスによって転送された前記アクセスポイントからの前記データチャネルに対応するデータメッセージについて、前記第２の通信インターフェースをモニタすることと
を備える動作によって特徴付けられる、方法。
【請求項１５】
前記クライアント端末が前記第１のモードから前記第２のモードへ切り替わるべきかどうかを判定することと、
前記第１の通信インターフェースの非活動時間が閾値の時間を超えると、前記第１のモードから前記第２のモードへ切り替わることと
をさらに備える、請求項１４に記載の方法。
【請求項１６】
前記第２の通信インターフェースを介して、前記プロキシデバイスから転送されたデータメッセージを受信すること
をさらに備える、請求項１４に記載の方法。
【請求項１７】
前記転送されたデータメッセージを受信した後、前記クライアント端末が前記第２のモードから前記第１のモードに切り替わるべきであるかどうかを判定することと、
前記データチャネルを通じた追加のデータメッセージが予測される場合に、前記第１のモードへ切り替えることと
をさらに備える、請求項１４に記載の方法。
【請求項１８】
前記プロキシデバイスから起動信号を受信することと、ここで、前記起動信号は、前記クライアント端末向けのデータメッセージが前記データチャネルを通じてすぐに来ることを示す、
前記起動信号の結果として、前記第１のモードへ切り替えることと
をさらに備える、請求項１４に記載の方法。
【請求項１９】
前記要求は、クライアント端末識別子と、チャネル識別子と、前記データチャネルのための１つまたは複数の復号パラメータとを含む、
請求項１４に記載の方法。
【請求項２０】
前記クライアント端末のためのプロキシとしてプロキシデバイスが動作していることを示す、確認応答を前記プロキシデバイスから受信することをさらに備える、
請求項１４に記載の方法。
【請求項２１】
前記第１のモードが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における接続モードである、
請求項１４に記載の方法。
【請求項２２】
前記接続モードが、Ｃｅｌｌ  Ｄｅｄｉｃａｔｅｄ  Ｃｈａｎｎｅｌ（Ｃｅｌｌ＿ＤＣＨ）と、Ｃｅｌｌ  Ｆｏｒｗａｒｄ  Ａｃｃｅｓｓ  Ｃｈａｎｎｅｌ（Ｃｅｌｌ＿ＦＡＣＨ）と、Ｃｅｌｌ  Ｐａｇｉｎｇ  Ｃｈａｎｎｅｌ（Ｃｅｌｌ＿ＰＣＨ）と、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）  Ｒｅｇｉｓｔｒａｔｉｏｎ  Ａｒｅａ  Ｐａｇｉｎｇ  Ｃｈａｎｎｅｌ（ＵＲＡ＿ＰＣＨ）とのうちの少なくとも１つを使う、
請求項２１に記載の方法。
【請求項２３】
前記第２のモードが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における非接続モードまたはアイドルモードである、
請求項１４に記載の方法。
【請求項２４】
前記第１のモードが、Ｅｖｏｌｕｔｉｏｎ  Ｄａｔａ  Ｏｎｌｙ（ＥＶＤＯ）規格における接続モードであり、前記接続モードがアクティブモードである、
請求項１４に記載の方法。
【請求項２５】
前記第２のモードが、Ｅｖｏｌｕｔｉｏｎ  Ｄａｔａ  Ｏｎｌｙ（ＥＶＤＯ）規格における非接続モードであり、前記非接続モードが、中断モードと、アイドルモードと、スリープモードと、オフモードとのうちの少なくとも１つである、
請求項１４に記載の方法。
【請求項２６】
クライアント端末において電力を節減するための、前記クライアント端末上で動作可能な１つまたは複数の命令を有するコンピュータプログラムであって、前記クライアント端末は、第１のモードおよび第２のモードで、アクセスポイントとワイヤレスに通信するための第１の通信インターフェースを備え、前記クライアント端末上で動作可能な前記１つまたは複数の命令は、
前記第１の通信インターフェースが前記アクセスポイントと通信可能に接続される、前記第１のモードでデータチャネルをモニタするために動作することと、
前記クライアント端末向けの前記データチャネルをモニタし、第２の通信インターフェースを介して前記クライアント端末向けのデータメッセージを転送することによって、プロキシデバイスに前記第１のモードでプロキシとして動作するように要求する要求を、プロキシデバイスへ送信することと、ここで、前記データチャネルは、シグナリング／制御チャネルと異なる、
前記第１の通信インターフェースが前記アクセスポイントから通信可能に切断されつつ、前記クライアント端末が前記第１のモードで動作していると前記アクセスポイントが依然として判断する、第２のモードで動作することと、
前記プロキシデバイスからの前記データチャネルに対応する転送されたデータメッセージについて前記第２の通信インターフェースをモニタすることと、
を備える動作をプロセッサに実行させるように構成されることを特徴とする、コンピュータプログラム。
【請求項２７】
アクセスポイントとワイヤレスに通信するための第１の通信インターフェースと、
クライアント端末とワイヤレスに通信するための第２の通信インターフェースと、ここで、前記クライアント端末は、同じ通信インターフェースを介して、第１のモードおよび第２のモードで、前記アクセスポイントと通信するように構成可能である、
前記第１の通信インターフェースおよび前記第２の通信インターフェースに結合された処理回路と
を備えるプロキシデバイスであって、前記処理回路は、
データチャネルを介して前記第１のモードで前記アクセスポイントと通信している、前記クライアント端末のプロキシとして動作せよという要求を前記クライアント端末から受信し、
前記クライアント端末が前記第２のモードで動作するように構成される間、前記第１の通信インターフェースを介して、前記クライアント端末向けの前記データチャネル上のデータメッセージをモニタし、ここで、前記データチャネルは、シグナリング／制御チャネルとは異なる、
前記第２の通信インターフェースを介して、受信されたデータメッセージを前記クライアント端末へ送信する
ように構成されることを特徴とする、プロキシデバイス。
【請求項２８】
前記第１の通信インターフェースを使うことが、前記第２の通信インターフェースを使うことよりも多くの電力を消費する、請求項２７に記載のプロキシデバイス。
【請求項２９】
前記第１の通信インターフェースが、前記第２の通信インターフェースよりも長い距離を有する、
請求項２７に記載のプロキシデバイス。
【請求項３０】
前記第１の通信インターフェースおよび前記第２の通信インターフェースのうちの少なくとも１つが、ワイヤレス通信インターフェースである、
請求項２７に記載のプロキシデバイス。
【請求項３１】
前記第１の通信インターフェースが符号分割多元接続（ＣＤＭＡ）対応インターフェースであり、前記第２の通信インターフェースが任意のＢｌｕｅｔｏｏｔｈ対応インターフェースである、
請求項２７に記載のプロキシデバイス。
【請求項３２】
前記処理回路は、
前記クライアント端末をプロキシリストに追加し、
前記クライアント端末に確認応答を送信して前記要求を受け入れる
ようにさらに構成される、請求項２７に記載のプロキシデバイス。
【請求項３３】
前記アクセスポイントが、前記クライアント端末が実際には前記アクセスポイントから切断されている時に、前記アクセスポイントは、前記クライアント端末と直接通信していると判断する、
請求項２７に記載のプロキシデバイス。
【請求項３４】
前記処理回路は、
前記データメッセージの一部分が前記クライアント端末に送信された後、前記クライアント端末を前記プロキシリストから削除する
ようにさらに構成される、請求項２７に記載のプロキシデバイス。
【請求項３５】
前記処理回路は、
前記第１の通信インターフェースと関連付けられる第１の通信プロトコルから、前記第２の通信インターフェースと関連付けられる第２の通信プロトコルへと、前記データメッセージを変換する
ようにさらに構成される、請求項２７に記載のプロキシデバイス。
【請求項３６】
前記クライアント端末からの前記要求が、クライアント端末識別子と、データチャネル識別子と、前記クライアント端末と関連する前記データチャネルのための１つまたは複数の復号パラメータとを含む、
請求項２７に記載のプロキシデバイス。
【請求項３７】
前記処理回路は、
前記データメッセージを前記クライアント端末へ送信したことに応答して、前記第２の通信インターフェースを介して確認応答メッセージを受信し、
前記第２の通信インターフェースを介して、前記確認応答メッセージを前記アクセスポイントに転送する
ようにさらに構成される、請求項２７に記載のプロキシデバイス。
【請求項３８】
前記処理回路は、
前記クライアント端末のための前記データメッセージを受信した後、追加のデータメッセージが差し迫っているかどうかを判定し、
追加のデータメッセージが差し迫っていると判定された場合、起動信号を前記プロキシデバイスから送信する
ようにさらに構成される、請求項２７に記載のプロキシデバイス。
【請求項３９】
前記クライアント端末のプロキシとして動作している時、前記クライアント端末の動作モードが、前記アクセスポイントの予測するものとは異なる、
請求項２７に記載のプロキシデバイス。
【請求項４０】
プロキシデバイス上で動作可能な方法であって、
アクセス端末と通信するために、クライアント端末のプロキシとして動作せよという要求を前記クライアント端末から受信することと、ここで、前記クライアント端末は、同じ通信インターフェースを介して、第１のモードおよび第２のモードで前記アクセスポイントと通信するように構成可能であり、前記クライアント端末は、データチャネルを介して、前記第１のモードで前記アクセスポイントと通信している、
前記クライアント端末が前記第２のモードで動作するように構成される間、第１の通信インターフェースを介して、前記クライアント端末向けの前記データチャネル上のデータメッセージをモニタすることと、ここで、前記データチャネルは、シグナリング／制御チャネルと異なる、
第２の通信インターフェースを介して、受信されたデータメッセージを前記クライアント端末へ送信することと
を備える動作によって特徴づけられる、方法。
【請求項４１】
前記第１の通信インターフェースと関連付けられる第１の通信プロトコルから、前記第２の通信インターフェースと関連付けられる第２の通信プロトコルへと、前記データメッセージを変換することをさらに備える、
請求項４０に記載の方法。
【請求項４２】
所与のデータメッセージサイズに対して、前記第１の通信インターフェースが前記第２の通信インターフェースよりも多くの電力を消費する、
請求項４０に記載の方法。
【請求項４３】
前記プロキシデバイスは、複数のクライアント端末に関連するデータチャネルをモニタすることによって、前記複数のクライアント端末のプロキシとして動作する、
請求項４０に記載の方法。
【請求項４４】
前記データメッセージを前記クライアント端末へ送信したことに応答して、前記第２の通信インターフェースを介して確認応答メッセージを受信することと、
前記第２の通信インターフェースを介して、前記確認応答メッセージを前記アクセスポイントに転送することと
をさらに備える、
請求項４０に記載の方法。
【請求項４５】
前記クライアント端末のための前記データメッセージを受信した後、追加のデータメッセージが差し迫っているかどうかを判定することと、
追加のデータメッセージが差し迫っていると判定された場合、起動信号を前記プロキシデバイスから送信することと
をさらに備える、請求項４０に記載の方法。
【請求項４６】
前記クライアント端末のプロキシとして動作している時、前記クライアント端末の動作モードは、前記アクセスポイントの予測するものとは異なる、
請求項４０に記載の方法。
【請求項４７】
前記クライアント端末をプロキシリストに追加することと、
前記クライアント端末に確認応答を送信して前記要求を受け入れることとをさらに備える、
請求項４０に記載の方法。
【請求項４８】
前記アクセスポイントが、前記クライアント端末が実際には前記アクセスポイントから切断されている時に、前記アクセスポイントは前記クライアント端末と直接通信していると判断する、
請求項４０に記載の方法。
【請求項４９】
前記クライアント端末が、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における接続モードで動作していると、前記アクセスポイントが判断する、
請求項４０に記載の方法。
【請求項５０】
前記接続モードが、Ｃｅｌｌ  Ｄｅｄｉｃａｔｅｄ  Ｃｈａｎｎｅｌ（Ｃｅｌｌ＿ＤＣＨ）と、Ｃｅｌｌ  Ｆｏｒｗａｒｄ  Ａｃｃｅｓｓ  Ｃｈａｎｎｅｌ（Ｃｅｌｌ＿ＦＡＣＨ）と、Ｃｅｌｌ  Ｐａｇｉｎｇ  Ｃｈａｎｎｅｌ（Ｃｅｌｌ＿ＰＣＨ）と、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）  Ｒｅｇｉｓｔｒａｔｉｏｎ  Ａｒｅａ  Ｐａｇｉｎｇ  Ｃｈａｎｎｅｌ（ＵＲＡ＿ＰＣＨ）とのうちの少なくとも１つを使う、
請求項４９に記載の方法。
【請求項５１】
前記クライアント端末が、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における非接続モードまたはアイドルモードで実際には動作している、
請求項４９に記載の方法。
【請求項５２】
前記クライアント端末がＥｖｏｌｕｔｉｏｎ  Ｄａｔａ  Ｏｎｌｙ（ＥＶＤＯ）規格において定義されるような接続モードで動作していると、前記アクセスポイントが判断し、前記接続モードがアクティブモードである、
請求項４０に記載の方法。
【請求項５３】
前記クライアント端末が、実際にはＥｖｏｌｕｔｉｏｎ  Ｄａｔａ  Ｏｎｌｙ（ＥＶＤＯ）規格における非接続モードで動作しており、前記非接続モードが、中断モード、アイドルモード、スリープモード、およびオフモードのうちの少なくとも１つである、
請求項５２に記載の方法。
【請求項５４】
クライアント端末における電力節減を容易にするための、プロキシデバイス上で動作可能な１つまたは複数の命令を有するコンピュータプログラムであって、前記１つまたは複数の命令は、
前記クライアント端末のプロキシとして動作せよという要求を前記クライアント端末から受信することと、ここで、前記クライアント端末は、同じ通信インターフェースを介して、第１のモードおよび第２のモードでアクセスポイントと通信するように構成可能であり、前記クライアント端末は、データチャネルを介して、前記第１のモードで前記アクセスポイントと通信している、
前記クライアント端末が前記第２のモードで動作するように構成される間、第１の通信インターフェースを介して、前記クライアント端末向けの前記データチャネル上のデータメッセージをモニタすることと、ここで、前記データチャネルがシグナリング／制御チャネルとは異なる、
第２の通信インターフェースを介して、受信されたデータメッセージを前記クライアント端末へ送信することと
を備える動作をプロセッサに実行させるように構成されることを特徴とする、コンピュータプログラム。
【発明の詳細な説明】
【技術分野】
【０００１】
様々な特徴は、ワイヤレス通信システムに関する。少なくとも１つの特徴は、プロキシデバイスを使用して、セカンダリワイヤレスインターフェースを介してクライアント端末との間でデータを受信し転送することによって、ワイヤレスクライアント端末における電力節減を容易にするための、デバイスおよび方法に関する。
【背景技術】
【０００２】
ワイヤレス信号を通じて他のデバイスと通信する、ラップトップコンピュータ、携帯情報端末デバイス、携帯電話もしくはセルラー電話、または、プロセッサをもつ任意の他のデバイスのようなクライアント端末が、ますます普及しつつある。クライアント端末は一般にバッテリー駆動であり、バッテリーが供給することができる電力の量は限られている。消費者が、クライアント端末上で動作する電力使用量の多いアプリケーション、特に娯楽メディアアプリケーションおよび画像処理アプリケーションを使用する場合、バッテリーの電力を節減することが重要である。
【０００３】
クライアント端末は、ワイヤレスネットワークにおいて実装されている通信規格に応じて、いくつかのモードの１つで動作することができる。たとえば、広帯域符号分割多元接続（ＷＣＤＭＡ（登録商標））には、様々な種類の「接続」モード（たとえば、無線リソース制御の状態−Ｃｅｌｌ  Ｄｅｄｉｃａｔｅｄ  Ｃｈａｎｎｅｌ（ＤＣＨ）、Ｃｅｌｌ  Ｆｏｒｗａｒｄ  Ａｃｃｅｓｓ  Ｃｈａｎｎｅｌ（ＦＡＣＨ）、Ｃｅｌｌ  Ｐａｇｉｎｇ  Ｃｈａｎｎｅｌ（ＰＣＨ）、およびＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）  Ｒｅｇｉｓｔｒａｔｉｏｎ  Ａｒｅａ（ＵＲＡ）  Ｐａｇｉｎｇ  Ｃｈａｎｎｅｌ（ＰＣＨ））、およびアイドルモードがある。通常、接続モードでは、クライアント端末は、１つまたは複数のアクセスポイント（たとえば、基地局、Ｎｏｄｅ  Ｂ、フェムトセルなど）とデータ（たとえば、音声またはデータ呼またはセッション）を受信および／または送信するように、ワイヤレスネットワークへ完全にまたは部分的に接続され得る。接続モードでは、従来のクライアント端末は、データチャネルをモニタし、かつ／またはワイヤレスネットワークとの接続を保つのに必要な回路を維持するために、著しい量の電力を消費することがある。アイドルモードでは、クライアント端末は、ページングチャネル（ＰＣＨ）などの制御チャネルを、ページングメッセージについてモニタすることができる。そのようなページングメッセージは、着信するデータメッセージ（たとえば、データパケットまたはセグメント）の発生についてクライアント端末に警告するメッセージと、クライアント端末のシステム情報および他の情報を伝える制御／オーバヘッドメッセージとを含み得る。アイドルモードにおける電力消費は、接続モードにおける電力消費よりもかなり少ないが、メッセージが受信された場合に、回路へ電力供給しアイドルモードからワイヤレスネットワーク接続を再確立する際の、遅延が大きい。この遅延は比較的長く（たとえば、接続モードにおける遅延と比較して）、ユーザエクスペリエンスに著しく影響を与える（たとえば、メッセージを受信する際の著しい遅延、メッセージの脱落、送信者からのリトライの増加など）。よって、接続モードにワイヤレス端末を保つと、電力の枯渇または消費が速くなるが、アイドルモードに切り替えると、著しい遅れまたは遅延が発生する。
【０００４】
したがって、クライアント端末の電力消費を少なくしつつ、電力節減モードの動作と通常関連付けられる著しい遅延を回避する、解決法が必要である。
【発明の概要】
【０００５】
１つの特徴は、クライアント端末が、接続モードから、非接続モード、非アクティブモード、および／または低電力モードへと切り替わる時に、プロキシデバイスを使用してクライアント端末向けのデータメッセージをリッスンすることによって、クライアント端末における電力節減を容易にするためのシステムおよび方法を提供する。
【０００６】
１つの特徴によれば、クライアント端末において動作可能な方法が提供される。クライアント端末は、第１の通信インターフェースがアクセスポイントと通信可能に接続され、クライアント端末の動作モードがアクセスポイントに知られている、第１のモードで動作する。次に、クライアント端末は、クライアント端末が第１のモードから第２のモードに切り替わるべきであるかどうかを判定することができる。たとえば、クライアント端末は、第１の通信インターフェースの非活動時間が閾値の時間を超えると、第１のモードから第２のモードへ切り替わることができる。第２のモードへ切り替わるために、クライアント端末は、クライアント端末向けのデータチャネルをモニタし、第２の通信インターフェースを介してクライアント端末向けのデータメッセージを転送することによって、プロキシデバイスにプロキシとして動作するように要求する要求を、プロキシデバイスへ送信することができる。この要求は、クライアント端末識別子と、チャネル識別子と、データチャネルのための１つまたは複数の復号パラメータとを含み得る。クライアント端末は次いで、クライアント端末のためのプロキシとしてプロキシデバイスが動作していることを示す、確認応答をプロキシデバイスから受信することができる。
【０００７】
クライアント端末は次いで、第１の通信インターフェースがアクセスポイントから通信可能に切断されつつ、クライアント端末が第１のモードで動作しているとアクセスポイントが依然として判断する、第２のモードで動作し得る。第２の通信インターフェースは次いで、プロキシデバイスによって転送された、アクセスポイントからのデータメッセージについてモニタされ得る。
【０００８】
次に、クライアント端末は、第２の通信インターフェースを介して、プロキシデバイスから転送されたデータメッセージを受信することができる。クライアント端末は次いで、転送されたデータメッセージを受信した後、クライアント端末が第２のモードから第１のモードに切り替わるべきであるかどうかを、判定することができる。一例では、クライアント端末は、データチャネルを通じた追加のデータメッセージが予測される場合に、第２のモードから第１のモードへ切り替えられる。
【０００９】
オプションの特徴によれば、クライアント端末は、プロキシデバイスから起動信号を受信することができ、起動信号は、クライアント端末向けのデータメッセージがデータチャネルを通じてすぐに来ることを示す。クライアント端末は次いで、起動信号の結果として、第１のモードへ切り替わることができる。
【００１０】
一例では、第１のモードは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における接続モードであってよい。たとえば、接続モードは、Ｃｅｌｌ  Ｄｅｄｉｃａｔｅｄ  Ｃｈａｎｎｅｌ（Ｃｅｌｌ＿ＤＣＨ）と、Ｃｅｌｌ  Ｆｏｒｗａｒｄ  Ａｃｃｅｓｓ  Ｃｈａｎｎｅｌ（Ｃｅｌｌ＿ＦＡＣＨ）と、Ｃｅｌｌ  Ｐａｇｉｎｇ  Ｃｈａｎｎｅｌ（Ｃｅｌｌ＿ＰＣＨ）と、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）  Ｒｅｇｉｓｔｒａｔｉｏｎ  Ａｒｅａ  Ｐａｇｉｎｇ  Ｃｈａｎｎｅｌ（ＵＲＡ＿ＰＣＨ）とのうちの少なくとも１つを使うことができる。第２のモードは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における非接続モードまたはアイドルモードであってよい。
【００１１】
別の例では、第１のモードは、Ｅｖｏｌｕｔｉｏｎ  Ｄａｔａ  Ｏｎｌｙ（ＥＶＤＯ）規格における接続モードであってよく、接続モードはアクティブモードである。第２のモードは、Ｅｖｏｌｕｔｉｏｎ  Ｄａｔａ  Ｏｎｌｙ（ＥＶＤＯ）規格における非接続モードであってよく、非接続モードは、中断モードと、アイドルモードと、スリープモードと、オフモードとのうちの少なくとも１つである。
【００１２】
クライアント端末の一実装形態によれば、クライアント端末は、第１の通信インターフェース、第２の通信インターフェース、および／または処理回路を含み得る。アクセスポイントとワイヤレスに通信するための第１の通信インターフェース。プロキシデバイスとワイヤレスに通信するための第２の通信インターフェース。処理回路は、第１の通信インターフェースと第２の通信インターフェースとに結合され得る。処理回路は、（ａ）第１の通信インターフェースがアクセスポイントと通信可能に接続され、クライアント端末の動作モードがアクセスポイントに知られている、第１のモードで動作し、（ｂ）クライアント端末向けのデータチャネルをモニタし、第２の通信インターフェースを介してクライアント端末向けのデータメッセージを転送することによって、プロキシデバイスにプロキシとして動作するように要求する要求を、プロキシデバイスに送信し、（ｃ）第１の通信インターフェースがアクセスポイントから通信可能に切断されつつ、クライアント端末が第１のモードで動作しているとアクセスポイントが依然として判断する、第２のモードで動作し、（ｄ）プロキシデバイスから転送されたデータメッセージについて第２の通信インターフェースをモニタするように構成され得る。一例では、第１の通信インターフェースを使うことは、第２の通信インターフェースを使うことよりも多くの電力を消費し得る。別の例では、第１の通信インターフェースは、第２の通信インターフェースよりも長い距離を有し得る。別の例では、第１の通信インターフェースは、第２の通信インターフェースよりも広い帯域幅を有し得る。第１の通信インターフェースおよび第２の通信インターフェースのうちの少なくとも１つは、ワイヤレス通信インターフェースであってよい。第１のモードでは、クライアント端末は、第１の通信インターフェースを介して、データメッセージについてデータチャネルをモニタすることができる。第２のモードでは、データチャネルは、クライアント端末によってモニタされない。一例では、第１の通信インターフェースは符号分割多元接続（ＣＤＭＡ）対応インターフェースであり、第２の通信インターフェースは任意のＢｌｕｅｔｏｏｔｈ（登録商標）対応インターフェースである。
【００１３】
別の特徴によれば、プロキシデバイスにおいて動作可能な方法が提供される。クライアント端末のプロキシとして動作せよという要求が、クライアント端末から受信される。それに応答して、プロキシデバイスは、クライアント端末をプロキシリストに加えることができ、確認応答をクライアント端末に送信して要求を受け入れることができる。プロキシデバイスは次いで、第１の通信インターフェースを介して、クライアント端末向けのデータチャネル上のデータメッセージをモニタする。次に、プロキシデバイスは、クライアント端末に宛てられたデータメッセージを受信することができる。プロキシデバイスは、第１の通信インターフェースと関連付けられる第１の通信プロトコルから、第２の通信インターフェースと関連付けられる第２の通信プロトコルへと、データメッセージを変換することができる。プロキシデバイスは次いで、第２の通信インターフェースを介して、受信されたデータメッセージを、クライアント端末へ送信し、転送し、または中継する。一例によれば、プロキシデバイスは、データメッセージをクライアント端末へ送信したことに応答して、第２の通信インターフェースを介して確認応答メッセージを受信することができる。その結果、プロキシデバイスは、第２の通信インターフェースを介して、確認応答メッセージをアクセスポイントに転送することができる。
【００１４】
別の例によれば、プロキシデバイスは、クライアント端末向けのデータメッセージを受信した後、追加のデータメッセージが差し迫っているかどうかを判定することができる。差し迫っている場合、プロキシデバイスは、追加のデータメッセージが差し迫っていると判定されれば、起動信号をプロキシデバイスから送信する。一例では、第１の通信インターフェースは、所与のデータメッセージサイズに対して、第２の通信インターフェースよりも多くの電力を消費し得る。いくつかの実装形態では、プロキシデバイスは、複数のクライアント端末に関連するデータチャネルをモニタすることによって、複数のクライアント端末のプロキシとして動作することができる。
【００１５】
プロキシデバイスがクライアント端末のプロキシとして動作している場合、クライアント端末の動作モードは、アクセスポイントが予測するものとは異なることに留意されたい。アクセスポイントは、クライアント端末が実際にはアクセスポイントから切断されている時に、アクセスポイントがクライアント端末と直接通信していると判断する。一例では、アクセスポイントは、クライアント端末が、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における接続モードで動作していると、判断する。たとえば、接続モードは、Ｃｅｌｌ  Ｄｅｄｉｃａｔｅｄ  Ｃｈａｎｎｅｌ（Ｃｅｌｌ＿ＤＣＨ）と、Ｃｅｌｌ  Ｆｏｒｗａｒｄ  Ａｃｃｅｓｓ  Ｃｈａｎｎｅｌ（Ｃｅｌｌ＿ＦＡＣＨ）と、Ｃｅｌｌ  Ｐａｇｉｎｇ  Ｃｈａｎｎｅｌ（Ｃｅｌｌ＿ＰＣＨ）と、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）  Ｒｅｇｉｓｔｒａｔｉｏｎ  Ａｒｅａ  Ｐａｇｉｎｇ  Ｃｈａｎｎｅｌ（ＵＲＡ＿ＰＣＨ）とのうちの少なくとも１つを使うことができる。クライアント端末は、実際には、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における非接続モードまたはアイドルモードで動作している。別の例では、アクセスポイントは、クライアント端末が、Ｅｖｏｌｕｔｉｏｎ  Ｄａｔａ  Ｏｎｌｙ（ＥＶＤＯ）規格において定義されるような接続モードで動作していると判断し、このとき接続モードはアクティブモードである。しかし、クライアント端末は実際には、Ｅｖｏｌｕｔｉｏｎ  Ｄａｔａ  Ｏｎｌｙ（ＥＶＤＯ）規格における非接続モードで動作しており、このとき非接続モードは、中断モードと、アイドルモードと、スリープモードと、オフモードとのうちの少なくとも１つである。
【００１６】
プロキシデバイスの一実装形態によれば、プロキシデバイスは、第１の通信インターフェース、第２の通信インターフェース、および／または処理回路を含み得る。第１の通信インターフェースは、アクセスポイントとワイヤレスに通信するように適合される。第２の通信インターフェースは、クライアント端末とワイヤレスに通信するように適合される。処理回路は、第１の通信インターフェースおよび第２の通信インターフェースに、またはそれらの間に結合される。処理回路は、（ａ）クライアント端末のプロキシとして動作せよという要求をクライアント端末から受信し、（ｂ）第１の通信インターフェースを介して、クライアント端末向けのデータチャネル上のデータメッセージをモニタし、かつ／または（ｃ）第２の通信インターフェースを介して、受信されたデータメッセージをクライアント端末へ送信するように構成され得る。
【図面の簡単な説明】
【００１７】
本特徴の機能、特性、および利点は、全体を通じて同様の参照符号が同様のものを指す図面とともに、以下に記載する詳細な説明を読めばより明らかになろう。
【図１】プロキシデバイスがクライアント端末における電力節減を容易にできる、ワイヤレス通信システムを示すブロック図。
【図２】異なるワイヤレス通信規格の動作モードの２つの例を示す図。
【図３】プロキシデバイスがクライアント端末における電力節減を容易にする、ワイヤレス通信システムの動作を示すフローチャート。
【図４】プロキシデバイスを使用することによる電力節減のために構成された、クライアント端末の一例のブロック図。
【図５Ａ】プロキシデバイスを使用することによる電力節減のための、クライアント端末において動作可能な方法を示すフローチャート。
【図５Ｂ】プロキシデバイスを使用することによる電力節減のための、クライアント端末において使用可能な方法を示すフローチャート。
【図６】クライアント端末における電力節減を容易にするために、クライアント端末のプロキシとして動作するように構成される、プロキシデバイスの一例のブロック図。
【図７】クライアント端末における電力節減を容易にするための、プロキシデバイスにおいて動作可能な方法を示すフローチャート。
【発明を実施するための形態】
【００１８】
以下の説明では、実施形態の十分な理解が得られるように具体的な詳細を与える。ただし、これらの実施形態は、これらの具体的な詳細なしに実施できることを、当業者なら理解されよう。たとえば、これらの実施形態を不要な詳細部分に関して不明瞭にしないために、回路をブロック図で示すことがある。他の場合には、これらの実施形態を不明瞭にしないために、よく知られている回路、構造、および技法を詳細に図示することがある。
【００１９】
以下の説明では、いくつかの用語を使用して、１つまたは複数の実施形態のいくつかの特徴を説明する。たとえば、「アクセスポイント」という用語は、（ワイヤレス通信デバイスのために）通信ネットワークまたはデータネットワークへのワイヤレス接続を可能にするデバイスを指す。たとえば、「アクセスポイント」という用語は、基地局、Ｎｏｄｅ  Ｂデバイス、フェムトセル、ピコセルなどを含み得る。「クライアント端末」という用語は、携帯電話、ページャ、ワイヤレスモデム、携帯情報端末、個人情報マネージャ（ＰＩＭ）、パームトップコンピュータ、ラップトップコンピュータ、および／または、少なくとも部分的にワイヤレスネットワークもしくはセルラーネットワークを通じて通信する他のモバイル通信／コンピューティングデバイスを指す。「プロキシデバイス」という用語は、プライマリ通信インターフェースを通じてクライアント端末に宛てられたデータメッセージを受信し、かつ／または、セカンダリ通信インターフェースを通じて、意図されるクライアント端末へそのようなデータメッセージを転送する、ワイヤレス通信能力を有する任意のデバイスを含み得る。「データメッセージ」という用語は、様々な種類のコンテンツ、情報、コマンド、命令、ページング情報、および／または制御信号を、搬送または伝達する、メッセージを含み得る。
【００２０】
概観  
１つの特徴は、クライアント端末が、自身のプライマリ通信インターフェースを、非アクティブ状態、非接続状態、および／または低電力状態へと（たとえば、接続モードから非接続モードまたは非アクティブモードへ）切り替える時に、プロキシデバイスを使用してクライアント端末向けの着信するデータメッセージをリッスンすることによって、クライアント端末における電力節減を容易にするための、システム、装置、および方法を提供する。クライアント端末は、ワイヤレスネットワークから信号を受信するためのプライマリ通信インターフェース（たとえば、長距離または広帯域幅インターフェース）と、近隣のデバイスから短距離（たとえば、数フィート、または１マイル未満）で信号を受信するためのセカンダリ通信インターフェース（または短距離もしくは狭帯域幅インターフェース）とを含み得る。一例では、プライマリ通信インターフェースは任意のＣＤＭＡ対応通信インターフェースであってよく、セカンダリ通信インターフェースはＢｌｕｅｔｏｏｔｈ対応インターフェースであってよい。プライマリ距離の通信インターフェースとセカンダリ通信インターフェースとの違いの１つは、セカンダリ通信インターフェースの方がプライマリ通信インターフェースよりも消費電力が少なくなり得ることである。したがって、プライマリ通信インターフェースは高電力通信インターフェースとも呼ばれることがあり、セカンダリ通信インターフェースは低電力通信インターフェースと呼ばれることがある。「高電力」および「低電力」という用語は相対的な用語であり、電力消費の特定のレベルを暗示しないことは明らかである。すなわち、低電力通信インターフェースは単に、高電力通信インターフェースよりも消費電力が少ない。
【００２１】
クライアント端末は、その通信インターフェースに電力供給する内部電源（たとえば、バッテリー）によって電力供給され得る。動作中、クライアント端末は、自身で、または、プライマリ通信インターフェースにサービスするワイヤレスネットワーク（たとえばアクセスポイント）から受信された指示もしくは命令の下のいずれかで、様々な接続モード（たとえば、無線リソース制御の状態−Ｃｅｌｌ  ＤＣＨ、Ｃｅｌｌ  ＦＡＣＨ、Ｃｅｌｌ  ＰＣＨ、およびＵＲＡ  ＰＣＨ）に切り替わることができる。その結果、ワイヤレスネットワークまたはアクセスポイントは、クライアント端末がその接続モードにあるものと予測して、その接続モードに対して規定されるプロトコルに従ってメッセージを送信する。しかし、内部電源の使用可能時間を延ばすために、１つの特徴は、クライアント端末が実際には非接続モードまたは非アクティブモード（たとえば、電力節減モードまたは低電力モード）になり、外部プロキシデバイスを使って、ワイヤレスネットワークまたはアクセスポイントからクライアント端末へ宛てられたデータチャネル上のデータメッセージをリッスンしつつ、プライマリ通信インターフェースの電源を切ることを実現できる。接続モードから非接続モードまたは非アクティブモードへ変更するという決定は、クライアント端末が単独で決定するものであってよく、この変更はワイヤレスネットワークには伝えられない。したがって、ワイヤレスネットワークは、クライアント端末が実際には非接続モードまたは非アクティブモードにあるとしても、クライアント端末が接続モードにあると判断する。データチャネルが連続的または定期的にモニタされ得る接続モードから、データチャネルがモニタされないか頻繁にはモニタされず、一方で、ワイヤレスネットワークまたはアクセスポイントに、クライアント端末が依然として接続モードで動作していると判断させることによって、接続モードの動作を依然として維持する、電力節約モード（非接続モードまたは非アクティブモード）へと、クライアント端末が切り替わることによって、電力節減が実現される。
【００２２】
プロキシデバイスを確立するために、クライアント端末は、セカンダリ通信インターフェースを通じた送信距離内で、局所的に利用可能なプロキシデバイスを検索することができる。利用可能なプロキシデバイスが検出されると、クライアント端末は、利用可能なプロキシデバイスのいずれかが、ワイヤレスネットワークからのデータメッセージをモニタするためのプライマリ通信インターフェースと、短距離でクライアント端末と直接通信するためのセカンダリ通信インターフェースとを有するかどうかを、判定することができる。その送信距離内にあるプライマリ通信インターフェースを有する利用可能なプロキシデバイスを決定すると、クライアント端末は、利用可能なプロキシデバイスの１つまたは複数に対して、クライアント端末のプロキシとして働くようにネゴシエートすることができる。たとえば、クライアント端末において測定または感知されるような、どの利用可能なプロキシデバイスが最良のまたは最強の短距離リンク（セカンダリ通信インターフェースを介する）を有するかに基づいて、クライアント端末の「プロキシ」として働くべき１つのプロキシデバイスを選択することができる。プロキシデバイスが、１つまたは複数のデータチャネルをリッスンし、またはモニタできるように、クライアント端末は、クライアント端末の１つまたは複数のデータチャネル、および／または関連するパラメータを、選択されたプロキシデバイスに提供することができる。
【００２３】
プロキシデバイスは、開始されたクライアント端末のデータチャネル上のクライアント端末に宛てられたデータメッセージ、または、ワイヤレスネットワークの１つまたは複数のアクセスポイントによって送信されたデータメッセージを、リッスンすることができる。一例では、プロキシは、（クライアント端末によって遮断されたプライマリ通信インターフェースと同様の）自身のプライマリ通信インターフェースを使用して、データメッセージをリッスンまたは受信することができる。プロキシデバイスが、自身がそのプロキシとして動作しているクライアント端末に宛てられたメッセージを検出すると、プロキシデバイスは、セカンダリ通信インターフェースを介して、データメッセージをクライアント端末に転送することができる。
【００２４】
セカンダリ通信インターフェースを介してプロキシデバイスからデータメッセージを受信すると、クライアント端末は、非接続モードまたは非アクティブモードにとどまり得る。他の場合（たとえば、データメッセージが複数のパケットを備える場合）、クライアント端末は、自身で、または、プロキシデバイスによる起動信号の下のいずれかで、接続モードへと戻り、プライマリ通信インターフェースを通じてデータメッセージを受信することができる。
【００２５】
例示的なネットワーク環境  
図１は、プロキシデバイスがクライアント端末における電力節減を容易にできる、ワイヤレス通信システムを示すブロック図である。クライアント端末１０２およびプロキシデバイス１０４は、通信ネットワーク１０８の一部であり得る、１つまたは複数のワイヤレスアクセスポイント１０６（たとえば、基地局またはノードＢ、フェムトセル、ピコセルなど）を介して、通信ネットワーク１０８と通信できてよい。
【００２６】
クライアント端末１０２およびプロキシデバイス１０４は、それぞれ第１のワイヤレスリンク１１８および第２のワイヤレスリンク１２２を通じて、ワイヤレスアクセスポイント１０６と直接通信するための、プライマリ（たとえば、高電力または長距離）通信インターフェース１１０および１１２（または送受信機）を含み得る。さらに、クライアント端末１０２およびプロキシデバイス１０４はまた、第３のワイヤレスリンク１２０を介して互いに直接通信するための、セカンダリ（たとえば、低電力または短距離）通信インターフェース１１４および１１６（または送受信機）を含み得る。第１のワイヤレスリンク１１８および第２のワイヤレスリンク１２２は、第１の周波数帯またはチャネルで動作できるが、第３のワイヤレスリンク１２０は、第１の周波数帯またはチャネルとは異なる、または別個の、第２の周波数帯またはチャネルで動作できる。一実装形態では、低電力インターフェースとも呼ばれるセカンダリ通信インターフェースは、高電力インターフェースと呼ばれ得るプライマリ通信インターフェースよりも、消費電力が少なくてよい。「高電力」および「低電力」という用語は相対的な用語であり、電力消費の特定のレベルを暗示しないことは明らかである。セカンダリ通信インターフェース１１４および１１６は単に、同等の動作モード（たとえば接続モード）での所与の時間の動作において、プライマリ通信インターフェース１１０および１１２よりも消費電力が少ない。これは単に、より狭い帯域幅および／またはより短距離のインターフェースは、より広い帯域幅および／またはより長距離のインターフェースよりも、消費電力が少ないことを認めるものである。  クライアント端末１０２は、（限りのある）内部電源（たとえば、バッテリー）によって電力供給され得る。
【００２７】
クライアント端末１０２は、第１の（または接続）モード、および第２の（または非接続／非アクティブ／低電力）モードを含む、様々なモードで動作することができる。接続モードにある間、クライアント端末１０２は、そのプライマリインターフェースを使用して、アクセスポイント１０６と通信し、データメッセージを受信および／または送信するための、呼／セッションを確立することができる。接続モードでは、クライアント端末は、連続的にまたは頻繁に、自身のデータチャネルをモニタすることができる。非接続／非アクティブモードでは、クライアント端末１０２は、そのプライマリ通信インターフェースをオフにする（たとえば、周期的または非周期的のいずれかで）ことができ、アクセスポイント１０６によって送信されるページングメッセージのためのページングチャネルをモニタすることができる。
【００２８】
クライアント端末１０２（またはそのプライマリ通信インターフェース１１０）の動作モードは、ワイヤレスアクセスポイント１０６またはワイヤレスネットワークの他のエンティティへ伝えられ、かつ／または、それらによって設定され得る。たとえば、アクセスポイント１０６は、クライアント端末１０２の接続モード（たとえば、無線リソース制御の状態−Ｃｅｌｌ  ＤＣＨ、Ｃｅｌｌ  ＦＡＣＨ、Ｃｅｌｌ  ＰＣＨ、またはＵＲＡ  ＰＣＨ）を知っていることがある。したがって、ワイヤレスネットワークまたはアクセスポイント１０６は、ワイヤレス端末１０２が、予測される動作モードに従って応答する（たとえば、所与の期間内のデータメッセージに対して返信するなど）ものと予測する。
【００２９】
電力を節減するために、クライアント端末１０２は、ワイヤレスネットワークまたはアクセスポイント１０６に通知することなく、接続モードから、非アクティブモード、非接続モード、および／または低電力モード（たとえば、アイドルモードまたはスリープモード）へと、動作モード（または、少なくともプライマリ通信インターフェース１１０の動作状態）を一方的に変更するように構成され得る。動作モードのこの変更によって、プライマリ通信インターフェース１１０はオフにされ、これによって電力を節減する。接続モードから無効／スリープモードへと変更する前に、クライアント端末１０２は、クライアント端末の（１つまたは複数の）データチャネルをアクセスポイント１０６によってモニタするためのプロキシとして動作するように、プロキシデバイス１０４に要求することができる。つまり、クライアント端末１０２は、プライマリ通信インターフェース１１０上を検索する（たとえば、共通のワイヤレスチャネルを通じたプロキシデバイスからのメッセージをモニタする）こと、および／またはセカンダリ通信インターフェース１１４上を検索する（たとえば、プロキシデバイスの存在を示す信号をモニタする）ことによって、その場のまたは近隣のプロキシデバイスを見つけることができる。いくつかの実装形態では、セカンダリ通信インターフェース１１４が、プロキシデバイスの検索に使われ得る。それは、セカンダリ通信インターフェースは、クライアント端末が非接続モード、非アクティブモード、および／または低電力モードへ切り替わる（たとえば、プライマリ通信インターフェース１１０がオフにされる）時に、プロキシデバイス１０４からメッセージを受信するのに使われるインターフェースであるからである。そのような検索を実行する際、クライアント端末１０２は、プライマリ通信インターフェースとセカンダリ通信インターフェースの両方を有する、可能性のあるプロキシデバイスを特定しようと試みることができる。これは、プロキシデバイス１０４が、そのプライマリ通信インターフェース１１２を介したデータメッセージ（たとえば、クライアント端末１０２に宛てられたアクセスポイント１０６からのデータメッセージ）を受信し、セカンダリ通信インターフェース１１６を介して、そのデータメッセージを意図されたクライアント端末１０２に転送できるようにするためである。
【００３０】
１つまたは複数のプロキシデバイスがクライアント端末１０２によって特定されると、クライアント端末のセカンダリ通信インターフェース１１４において測定または感知されるような、どの利用可能なプロキシデバイスが最良または最強の短距離リンクを有するかに基づいて、クライアント端末１０２は、その「プロキシ」として働くべき１つのプロキシデバイス１０４を選択することができる。クライアント端末１０２は、選択されたプロキシデバイス１０４に、データチャネルパラメータとともにプロキシ要求を送信することができる。いくつかの実装形態では、クライアント端末１０２は、１つまたは複数のプロキシデバイスとのセキュアな関係を、事前に確立してよい。セキュアな関係を事前に確立することによって、クライアント端末１０２は、選択されたプロキシデバイス１０４がクライアント端末１０２のために検出した、着信データメッセージを転送することを、選択されたプロキシデバイス１０４に任せることができる。
【００３１】
選択されたプロキシデバイス１０４とクライアント端末１０２が両方とも、ワイヤレスネットワーク中の同じアクセスポイント１０６をリッスンする実装形態では、それらのクロックは、同じアクセスポイントをリッスンすることによってすでに同期されている。代替的な実装形態では、クライアント端末１０２は、代わりにデータチャネルのためのクロック情報を与えることができるので、プロキシデバイス１０４は、自身のクロックをそのクロック情報と同期することができる。
【００３２】
プロキシデバイス１０４が特定され選択されると、通信リンクが、クライアント端末１０２およびプロキシデバイス１１０の、それぞれセカンダリ通信インターフェース１１４および１１６を介して、確立または設定され得る。たとえば、セカンダリインターフェース１１６がＢｌｕｅｔｏｏｔｈ対応インターフェースである場合、プロキシデバイス１１０およびクライアント端末１０２が、それぞれのセカンダリ通信インターフェース１１６および１１４を介して互いに通信できるように、プロキシデバイス１１２は、ホップシーケンスまたは周波数ホップシーケンスと呼ばれる擬似乱数列に従って動作するように構成され得る。選択されたプロキシデバイス１０４が、クライアント端末１０２のプロキシとして確立されると、クライアント端末１０２は次いで、プライマリ通信インターフェースのワイヤレスネットワーク（たとえばアクセスポイント）に知らせることなく、動作モードを（たとえば接続モードから非接続／非アクティブモードへ）変更することができる。接続モードから非接続／非アクティブモードへと変更する際に、クライアント端末１０２は、プライマリ通信インターフェース１１０のすべてまたは一部の電源を切る（またはオフにする）ことができ、セカンダリ通信インターフェース１１４をアクティブ化して、プロキシデバイス１０４を介してデータメッセージを受信することができる。プライマリ通信インターフェース１１０は、セカンダリ通信インターフェース１１４よりも消費電力が多いので、プライマリ通信インターフェース１１０を遮断し（またはその動作状態を低下させ）、セカンダリ通信インターフェース１１４を使用して、プロキシデバイスを介して着信メッセージを受信することで、クライアント端末１０２における電力節減が容易になる。
【００３３】
選択されたプロキシデバイス１０４は、プライマリ通信インターフェース１１２を通じたクライアント端末１０２の（１つまたは複数の）データチャネルをモニタすることができ、セカンダリ通信インターフェース１１６を介したクライアント端末１０２に宛てられた任意のデータメッセージを、クライアント端末１１４へ転送する。プロキシデバイス１０４は、複数の他のクライアント端末のそれぞれのデータチャネルをモニタし、セカンダリ通信インターフェース１１６を介して、意図されたクライアント端末へとデータメッセージを転送することによって、複数の他のクライアント端末の「プロキシ」として同様に動作することができる。
【００３４】
１つの特徴によれば、クライアント端末１０２とプロキシデバイス１０４との間のプロキシ方式は、ワイヤレスネットワークおよびアクセスポイント１０６を含む、通信システムの残りに対して透過的であってよい。したがって、アクセスポイント１０６は、クライアント端末１０２が非接続モード／非アクティブモードへと変化したことを知らされず、接続モードで動作していると依然として判断する。したがって、プロキシ方式は、アクセスポイント１０６には透過的であり、アクセスポイント１０６は、クライアント端末１０２と通信する際の動作または方式を調整する必要はない。
【００３５】
さらに別の特徴によれば、クライアント端末１０２は、プロキシデバイス１０４が距離内にあり依然としてプロキシとして動作するかどうかを判断するために、セカンダリ通信インターフェース１１４を通じて、プロキシデバイス１０４にピングを周期的に送信することができる。ピングへの応答がプロキシデバイス１０４からないまま規定された時間が経過した場合、プロキシデバイス１０４は範囲外にありもはやプロキシとして動作していないと考えられるので、クライアント端末１０２は、プライマリ通信インターフェース１１０の電源を入れて、アクセスポイント１０６からデータメッセージを直接受信することができる。別のプロキシデバイスが送信距離内で検出された場合、クライアント端末１０２は、新たなプロキシデバイスと関わりを持ち、プライマリ通信インターフェース１１０の電源を切り、セカンダリ通信インターフェース１１４をアクティブ化して新たなプロキシデバイスからデータメッセージを受信することができる。
【００３６】
本明細書で使用するアクセスポイント１０６は、１つまたは複数の端末とワイヤレスに通信できるデバイスであってよく、基地局、ノードＢ、または何らかの他の同様のデバイスとして呼ばれることもあり、それらの一部またはすべての機能を含んでよい。端末（たとえば、クライアント端末）はまた、ユーザ装置（ＵＥ）、ワイヤレス通信デバイス、移動局、コンピュータ、ラップトップ、携帯電話、セルラー電話、または何らかの他の用語で呼ばれることもあり、それらの一部またはすべての機能を含んでよい。いくつかの実装形態では、プロキシデバイスの動作および／または機能は、アクセスポイントに組み込まれてよい。
【００３７】
例示的な動作モード−本明細書で説明されるように、クライアント端末における電力節減は、接続モードから非接続／非アクティブモードへと切り替わることによって実現される。図２は、異なるワイヤレス通信規格の動作モードの２つの例を示す図である。一般に、「接続モード」は、プライマリ通信インターフェースが、有効にされ、アクティブ化され、または電源をオンにされて（たとえば、連続的にオンにされ、周期的にオンにされ、一時的にオンにされて）、ネットワークを介した無線リソースへのアクセスを提供する、動作状態を指す。対照的に、「非接続モード」、「非アクティブモード」、および／または「低電力モード」（たとえば、「アイドルモードまたはスリープモード」）は、プライマリ通信インターフェースがネットワークを介した無線リソースへのアクセスを有さないように、プライマリ通信インターフェースの電源がオフにされる（たとえば、連続的にオフにされ、周期的にオフにされ、一時的にオフにされる）動作状態を指す。
【００３８】
たとえば、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）広帯域符号分割多元接続（Ｗ−ＣＤＭＡ）は、様々な動作モードを定義する無線リソース制御（ＲＲＣ）を規定する、無線インターフェース規格である。ＵＭＴＳ  ＲＲＣ状態２０２は、接続モード２０４、および／またはアイドルモード２０６を定義する。接続モード２０４は、Ｃｅｌｌ  ＤＣＨ  ２１２と、Ｃｅｌｌ  ＦＡＣＨ  ２１４と、Ｃｅｌｌ  ＰＣＨ  ２１６と、ＵＲＡ  ＰＣＨ  ２１８とを含む、複数の状態を含み得る。これらの接続モードでは、無線リソースへのアクセス権がワイヤレスネットワークに提供され得る。アイドルモード２０６（たとえば非アクティブモード）は、ワイヤレスネットワークへの接続がない（たとえば、プライマリ通信インターフェースがオフにされる）ので、電力消費が最も少ない。一例では、Ｃｅｌｌ  ＦＡＣＨ  ２１４は、Ｃｅｌｌ  ＤＣＨ  ２１２のおよそ５０％の電力を消費し、Ｃｅｌｌ  ＰＣＨ  ２１６は、Ｃｅｌｌ  ＤＣＨ  ２１２の数％の電力しか消費しない。
【００３９】
同様に、Ｅｖｏｌｕｔｉｏｎ−Ｄａｔａ  Ｏｎｌｙ（ＥＶＤＯ）は、ＣＤＭＡ２０００の規格群の一部であり、アクティブモード２２２、中断モード２２４、アイドルモード２２６、スリープモード２２８、およびオフモード２３０を含む、複数のＥＶＤＯ動作状態２２０を定義する。
【００４０】
例示的なプライマリ通信インターフェース−プライマリ通信インターフェース１１０／１１２の一例は、Ｗ−ＣＤＭＡ対応送受信機のような、長距離、高電力、および／または広帯域幅の通信インターフェースであり得る。しかしながら、他の例では、そのような高電力インターフェースは、Ｗ−ＣＤＭＡ、ｃｄｍａ２０００、ＧＳＭ（登録商標）、ＷｉＭａｘ、およびＷＬＡＮを含むがこれらに限定されない、現代の通信規格に従って動作することができる。
【００４１】
例示的なセカンダリ通信インターフェース−セカンダリ通信インターフェース１１４／１１６の一例は、時分割複信（ＴＤＤ）方式を用いるＢｌｕｅｔｏｏｔｈ対応送受信機のような、短距離、低電力、および／または狭帯域幅の通信インターフェースであり得る。そのようなＢｌｕｅｔｏｏｔｈインターフェースは、同期的に交互に送信および受信することができる。これにより、Ｂｌｕｅｔｏｏｔｈ技術によって接続された複数の端末は、ピコネットとしばしば呼ばれるアドホックな方式で通信することが可能になる。
【００４２】
本明細書で説明される電力節減技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）など、様々な種類のワイヤレス通信システムで実装され得る。ＣＤＭＡシステムは、Ｗｉｄｅｂａｎｄ  ＣＤＭＡ（Ｗ−ＣＤＭＡ）、ＣＤＭＡ２０００などの無線アクセス技術（ＲＡＴ）を実装することができる。ＲＡＴは、無線通信のために使用される技術を指す。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などのＲＡＴを実装することができる。Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）は、ＲＡＴとしてＷ−ＣＤＭＡおよびＧＳＭを使用するシステムであり、「第３世代パートナーシッププロジェクト」（３ＧＰＰ）という名称の組織からの文書に記載されている。ＣＤＭＡ２０００は、「第３世代パートナーシッププロジェクト２」（３ＧＰＰ２）という名称の組織からの文書に記載されている。３ＧＰＰおよび３ＧＰＰ２の文書は公に入手可能である。
【００４３】
接続モードで使われるデータチャネルは、非接続モードで通常使われるシグナリング／制御チャネルとは異なり、または別個であることに留意されたい。具体的には、データチャネルは、様々な種類のコンテンツ、データ、および／または制御信号を搬送することができ、連続的にまたは頻繁にモニタされる。一方で、シグナリング／制御チャネルはデータを搬送せず、（たとえばページング信号について）周期的にモニタされるのみである。
【００４４】
図３は、プロキシデバイスがクライアント端末における電力節減を容易にする、ワイヤレス通信システムの動作を示すフローチャートである。この例では、説明のために図１のアクセスポイント１０６、プロキシデバイス１０４、およびクライアント端末１０２を使用する。クライアント端末１０２は、クライアント識別子（ＩＤ）、および／または、クライアント端末１０２のチャネルのデータチャネル情報を記憶することができる。プロキシデバイス１０４は、プロキシデバイス１０４がそのプロキシとして動作しているクライアント端末の、クライアント識別子とデータチャネルとのクライアントプロキシリストを維持することができる。
【００４５】
クライアント端末１０２が電力の節減を望むとき、クライアント端末１０２は、（１つまたは複数の）データチャネルおよびクライアントＩＤならびに／または他のデータチャネルパラメータを送信することによって、クライアント端末１０２のプロキシとして動作するようにプロキシデバイス１０４に指示することができる（３０２）。たとえば、そのようなデータチャネルパラメータは、データ識別子および／またはチャネル復号パラメータを含み得る。クライアントＩＤ（ならびに／またはチャネル識別子およびチャネル復号パラメータ）を使用して、プロキシデバイス１０４は次いで、クライアント端末１０２の識別子をそのプロキシリストに追加し（３０４）、情報の受信を確認応答するための確認応答をクライアント端末１０２に送信する（３０６）。確認応答を受信した後（３０６）、通信リンクが、クライアント端末１０２とプロキシデバイス１０４との間で有効に設定されている。クライアント端末１０２は次いで、セカンダリ通信インターフェースをプロキシデバイス１０４との通信に関してアクティブに保ちながら（３１０）、プライマリ通信インターフェースを遮断する（または電源を切る）（たとえば、接続モードから非接続モード／非アクティブモードに切り替わる）ことができる（３０８）。
【００４６】
アクセスポイント１０６は、クライアント端末１０２に宛てられたデータメッセージを、（たとえば１つまたは複数のパケット送信として）ブロードキャスト／送信することができる。プロキシデバイス１０４は、プライマリ通信インターフェースを通じて、ブロードキャストを受信することができる（３１４）。ブロードキャストが受信されると、プロキシデバイス１０４は、データメッセージがプロキシリスト中のクライアント端末１０２に宛てられているかどうかを確認することができる（３１６）。データメッセージが、プロキシデバイス１０４のプロキシリスト中のクライアント端末に宛てられている場合、プロキシデバイス１０４は、セカンダリ通信インターフェースを介して、データメッセージを指定されたクライアント端末１０２に転送することができる（３１８）。
【００４７】
クライアント端末１０２は、セカンダリ通信インターフェースを介して、データメッセージを受信することができる。セカンダリ通信インターフェースを介してデータメッセージを受信すると、クライアント端末１０２は、そのプライマリ通信インターフェースをアクティブ化すべきかどうかを判定する（３２０）。たとえば、データメッセージが完了した（たとえば、さらなるデータパケットが予測されない）ことをデータメッセージが示す場合、クライアント端末１０２は単に、セカンダリ通信インターフェースを介して、確認応答メッセージをプロキシデバイス１０４へ送信することができ、プロキシデバイス１０４が次いで、確認応答メッセージをアクセスポイント１０６へ転送することができる。つまり、受信されたデータメッセージが完了すると、クライアント端末１０２のプライマリ通信インターフェースをアクティブ化する必要はない。あるいは、大量のデータが受信されることになる場合（たとえば、受信されたデータメッセージが、これから来る多くのパケットのうちの１つのパケットにすぎない場合）、クライアント端末１０２がその後のデータメッセージ（たとえば残りのパケット）を受信できるように、クライアント端末１０２のプライマリ通信インターフェースがアクティブ化される（たとえば接続モードに切り替えられる）（３２２）。いくつかの実装形態では、クライアント端末１０２は、プライマリ通信ポートを自身でアクティブ化するという、判定を行うことができる。他の実装形態では、プロキシデバイス１０４は（追加のデータメッセージが来ると判定すると）、セカンダリ通信インターフェースを介してクライアント端末へ起動信号を送信することができ、これによって、クライアント端末に、プライマリ通信インターフェースをアクティブ化させる。
【００４８】
クライアント端末１０２がプライマリ通信インターフェースをアクティブ化すると、クライアント端末は、プライマリ通信インターフェースを介して、アクセスポイント１０６との接続を再確立することができる（３２６）。オプションで、データメッセージの確認応答が、プロキシデバイス１０４を介して（セカンダリ通信インターフェースを通じて）間接的に、または、クライアント端末のプライマリ通信インターフェースを介して直接、クライアント端末１０２によって送信されてもよい（３２４）。
【００４９】
いくつかの実装形態では、プロキシデバイスの機能は、端末またはアクセスポイントに統合されてよい。たとえば、アクセスポイントは、サービスされている端末と通信するのに通常使われるプライマリ通信インターフェースと、サービスされている端末のセカンダリ通信インターフェースと適合するセカンダリ通信インターフェースの両方を有し得る。この特定の構成では、セカンダリインターフェースは（一般に電力供給が豊富である）アクセスポイントに配置されるので、セカンダリ通信インターフェースの動作する送信距離を、そのような電力インターフェースの典型的な送信距離を超えて増大させることが可能であり得る。このようにして、アクセスポイントは、自身のセカンダリ通信インターフェースを通じて、プライマリ通信インターフェースを遮断したサービスされている端末（たとえばクライアント端末）の対応するセカンダリ通信インターフェースへと、データメッセージを転送することが可能であり得る。
【００５０】
例示的なクライアント端末  
図４は、プロキシデバイスを使用することによる電力節減のために構成された、クライアント端末の一例のブロック図である。クライアント端末４０２は、小型および／または低電力マイクロプロセッサのような、処理回路４０４を含み得る。クライアント端末４０２はまた、クライアント端末４０２が、たとえばネットワークアクセスポイント４１２への／ネットワークアクセスポイント４１２からのリンクを介して、第１のワイヤレスネットワーク上のデバイスと通信できるようにする、第１の（たとえばプライマリ）通信インターフェース４１０を含み得る。たとえば、第１の通信インターフェース４１０は、ＣＤＭＡ対応ネットワークなどを介して、長距離通信に使用される高電力通信インターフェースであってよい。クライアント端末４０２はまた、クライアント端末４０２を、プロキシデバイス４０８への直接のワイヤレスリンクのような第２のワイヤレスネットワーク上のデバイスへと通信可能に接続する、第２の（たとえばセカンダリ）通信インターフェース４０６を含み得る。たとえば、第２の通信インターフェース４０６は、Ｂｌｕｅｔｏｏｔｈ対応ネットワークなどを介して、短距離通信に使用される低電力通信インターフェースであってよい。クライアント端末４０２はバッテリー駆動であってよく、そのようなバッテリーが供給できる電力量は限られている。
【００５１】
従来技術の手法では、連続的に（たとえば接続モードでの連続的なモニタ）、または周期的に（たとえばアイドルモードから切り替わった時に）、クライアント端末の第１の通信インターフェースの電源がオンにされ、着信するデータまたはページングメッセージをリッスンし、クライアント端末４０２の内部電源（たとえばバッテリー）の電力を消耗させる。たとえば、データチャネルは、ワイヤレスネットワークのクライアント端末の間で、同期して共有される周波数帯（たとえば、ワイヤレスネットワーク中の各クライアント端末に割り当てられるタイムスロット）、または同期しないで共有される周波数帯であってよい（たとえば、ワイヤレスネットワーク上のすべての送信を検索して、どの送信がクライアント端末に宛てられているかを判定する）。同期する方式では、クライアント端末は、端末固有のデータメッセージを受信できる、特定のフレームを割り当てられ得る。そのようなデータチャネルを用いて、クライアント端末は、不連続受信動作に入ることができ、それによって、第１の通信インターフェースを使用して、データメッセージについてデータチャネルを連続的にではなく周期的にモニタする。不連続受信動作においては、クライアント端末は、特定の時間間隔で、着信するメッセージについてデータチャネルをモニタする。しかし、不連続受信動作にあっても、第１の通信インターフェースは依然として所定の間隔で電源が入り、クライアントデバイスの内部バッテリーを消耗させる。
【００５２】
動作中、クライアント端末は、第１の通信インターフェースの電源が、実質的に、連続的に、または完全にオンにされる、接続モードと、第１の通信インターフェースの電源が、実質的にまたは完全にオフにされる、非接続モードまたは非アクティブモード（たとえばアイドルモードまたはスリープモード）とで切り替わることができる。いくつかの例では、クライアント端末の動作状態（たとえば、接続モード、または非接続モード）は、第１の通信インターフェース４１０が通信に用いるアクセスポイント（または第１のワイヤレスネットワーク）に知られている。これによって、アクセスポイントは、アクセスポイントが確立されたデータチャネルを介してデータメッセージをクライアント端末に送信できるかどうか、または、着信するデータメッセージを受信するためにデータチャネルを通じた通信リンクが設定されるべきであることをクライアント端末に知らせるために、アクセスポイントが制御／シグナリングチャネルを使うべきかどうかを、知ることができる。したがって、クライアント端末の動作状態は、通常アクセスポイントには知られている。
【００５３】
クライアント端末４０２は、外部のまたは別個のプロキシデバイスを使うことによって、さらなる電力の節約を実現するように構成され得る。これを実現するために、クライアント端末４０２は、処理回路４０４、第１の通信インターフェース４１０、および／または第２の通信インターフェース４０６を介して、１つまたは複数の動作を実行するように適合され得る。クライアント端末４０２が接続モードから非接続モードまたは非アクティブモードへ切り替わる時に、クライアント端末４０２は、プロキシデバイスがクライアント端末４０２のプロキシとして動作し、クライアント端末４０２の（１つまたは複数の）データチャネルをモニタすることを要求できる。非接続モードまたは非アクティブモードでは、クライアント端末４０２は、データチャネルのための第１の通信インターフェース４１０をオフして、電力を節減することができる。しかし、アイドル／スリープモードから接続モードへと戻ることと関連する、始動または設定の遅延を効果的に避けるために、クライアント端末は、接続モードから非接続モードまたは非アクティブモードへの動作モードの変化を、アクセスポイントに知らせない。したがって、アクセスポイントは、クライアント端末４０２が依然として接続モードにある（たとえば、クライアント端末４０２が連続的にデータチャネルをモニタしている）という想定の下で、動作を継続する。しかし、クライアント端末４０２が非接続モードまたは非アクティブモードへ切り替わると、クライアント端末４０２はもはやデータチャネルをモニタしない。たとえば、非接続モードまたは非アクティブモードでは、クライアント端末４０２は、データチャネルとは別個のページングチャネル（たとえばシグナリング／制御チャネル）のみをモニタできる。
【００５４】
プロキシを割り当てると、クライアント端末は次いで、第２の通信インターフェース４０６をモニタして、プロキシデバイスがデータメッセージを転送したかどうかを判定することができる。データメッセージが第２の通信インターフェース４０６で受信されると、クライアント端末４０２は、第１の通信インターフェースをアクティブ化すべきであるかどうか判定することができる。たとえば、クライアント端末４０２によって受信されたデータメッセージが追加の部分を有さない場合、または、後続のデータメッセージを示すものがない場合、クライアント端末４０２は、非接続モードまたは非アクティブモードにとどまり、データメッセージの受信を単に確認応答し（たとえば第２の通信インターフェース４０６を介して）、第１の通信インターフェースをオフに保つ。一方、受信されたデータメッセージが、追加のデータメッセージが来る予定であること（たとえば、受信されたデータメッセージは、これから来る複数のパケットの最初のパケットにすぎないこと）を示す場合、クライアント端末４０２は、接続モードへ切り替わり、第１の通信インターフェース４１０をアクティブ化して追加のメッセージを受信することができる。クライアント端末４０２は、接続モードに切り替わり、第１の通信インターフェース４１０のための回路に電力供給し、データチャネルを介したアクセスポイントへの通信を再確立するまで、第２の通信インターフェース４０６を介して、プロキシデバイスからデータメッセージを受信するのを続けることができる。いくつかの実装形態では、プロキシデバイスは、複数のデータメッセージが、アクセスポイントによってクライアント端末４０２へ送信されていることを認識でき、その結果、データチャネルを通じた受信に関して第１の通信インターフェース４１０をアクティブ化させる起動メッセージを、クライアント端末４０２に送信する。
【００５５】
図５（図５Ａおよび図５Ｂを備える）は、プロキシデバイスを使用することによる電力節減のための、クライアント端末において動作可能な方法を示すフローチャートである。最初は、クライアント端末は、第１の（たとえばプライマリ）通信インターフェースがアクセスポイントと通信可能に接続され、クライアント端末の動作モードがアクセスポイントに知られている、第１のモード（たとえば接続モード）で動作することができる（５０２）。たとえば、第１の通信インターフェースは、ワイヤレスネットワークに対して高電力または長距離であってよく、第１のモードは、接続モードまたはアクティブモード（たとえば、ＵＭＴＳ  ＲＲＣ状態−Ｃｅｌｌ  ＤＣＨ、Ｃｅｌｌ  ＦＡＣＨ、Ｃｅｌｌ  ＰＣＨ、ＵＲＡ  ＰＣＨ）であってよい。この例では、クライアント端末は、クライアント端末が第１のモードで動作していることをアクセスポイントに知らせることができる。接続モードでは、クライアント端末は、アクセスポイントによってデータチャネルを連続的にモニタすることができる。接続モードでの動作の間、クライアント端末は、クライアント端末が電力節約の第２のモードに入るべきであるかどうかを判定する（５０４）。たとえば、閾値の期間、データチャネル上で活動が観測されない（たとえば、クライアント端末のためのパケットが最近のｘ秒の間に受信されない）場合、クライアント端末は、第２のモードに切り替わることによって電力の節減を試みることができる。これを行うために、クライアント端末はまず、プロキシデバイスが利用可能かどうかを判定することができる（５０６）。利用可能である場合、クライアント端末は、プロキシデバイスが、クライアント端末のデータチャネルをモニタし、クライアント端末向けのデータメッセージを第２の通信インターフェースを介して転送することによって、クライアント端末のプロキシとして動作すべきであるということを示す、メッセージ、要求、または通知を、プロキシデバイスに送信することができる（５０８）。クライアント端末からプロキシデバイスへの要求、メッセージ、または通知は、クライアント端末、クライアント端末の（１つまたは複数の）データチャネル、および／またはデータチャネル復号パラメータを特定できるので、プロキシデバイスは、そのような（１つまたは複数の）データチャネルをモニタすることができる。第１のモード（たとえば接続モード）のデータチャネルは、第２のモード（たとえば非接続モードまたは非アクティブモード）で通常使われるシグナリング／制御チャネルとは異なってよく、または別個であってよいことに留意されたい。具体的には、データチャネルは、様々な種類のデータおよび／または制御信号を搬送することができ、連続的にまたは頻繁にモニタされる。一方で、シグナリング／制御チャネルはデータを搬送せず、周期的にモニタされるのみである。
【００５６】
要求に応答して、クライアント端末のためのプロキシとしてプロキシデバイスが動作していることを示す、確認応答をプロキシデバイスから受信することができる（５０９）。次いでクライアント端末は、第１の通信インターフェースが通信可能に切断される（たとえば、周期的にまたは非周期的に非アクティブ化され、切断され、もしくは通信が行われない）、第２のモードで動作するように切り替わることができるが、このことはアクセスポイントには知られていない（５１０）。たとえば、クライアント端末は、接続モードから非接続モードまたは非アクティブモードへと切り替わることができるが、動作モードのこの変更は、アクセスポイントに伝えられず、または場合によってはアクセスポイントによって検出されない。したがって、アクセスポイントは、クライアント端末が第１のモードにあるかのように、動作を続けることができる（たとえば、アクセスポイントは、データチャネル上で、クライアント端末の第１の通信インターフェースへ送信することができる）。クライアント端末は次いで、プロキシデバイスからのデータメッセージについて、第２の通信インターフェースをモニタする（５１２）。第２の通信インターフェースは、第１の通信インターフェースのデータチャネルとは異なるチャネルを利用することに留意されたい。データメッセージがプロキシデバイスから（第２の通信インターフェースを介して）受信されると（５１４）、クライアント端末は、第２の通信インターフェースからのデータメッセージを処理することができる（５１６）。クライアント端末は次いで、クライアント端末が動作の第１のモードに戻るべきかどうかを判定することができる（５１８）。たとえば、（第２の通信インターフェースを介して）受信されたデータメッセージが、追加のデータメッセージまたはパケットが来る予定であることを示す場合、クライアント端末は、アクセスポイントへの第１の通信インターフェースがアクティブである第１のモードへと切り替わる（５２０）。クライアント端末は次いで、第１の通信インターフェースからのデータメッセージを、受信および／または処理できることに留意されたい（５２２）。
【００５７】
例示的なプロキシデバイス  
図６は、クライアント端末における電力節減を容易にするために、クライアント端末のプロキシとして動作するように構成される、プロキシデバイスの一例のブロック図である。プロキシデバイス６０２は、処理回路６０４と、第１の（たとえばプライマリ）通信インターフェース６０６と、第２の（セカンダリ）通信インターフェース６０８とを含み得る。第１の通信インターフェース６０６は、第１のワイヤレス通信リンク６１０を介して、プロキシデバイス６０２をアクセスポイントと通信可能に結合する。たとえば、第１の通信インターフェース６０６は、ＣＤＭＡ対応ネットワークなどを介した、長距離通信に使用される高電力インターフェースであってよい。第２の通信インターフェース６０８は、プロキシデバイス６０２をクライアント端末６１４に結合するために使用され得る。たとえば、第２の通信インターフェース６０８は、Ｂｌｕｅｔｏｏｔｈ対応ネットワークなどを介した、短距離通信に使用される低電力インターフェースであってよい。
【００５８】
１つの動作モードでは、プロキシデバイス６０２は、第１の通信インターフェース６０６を介して、クライアントプロキシリスト６１４上で特定されたクライアント端末向けのデータチャネルをモニタするように構成され得る。すなわち、プロキシデバイス６０２は、１つまたは複数のクライアント端末のプロキシとして動作することに同意している可能性がある。そのようなプロキシモードでは、プロキシデバイス６０２は、第１の通信インターフェース６０６を使用して、そのプロキシとしてプロキシデバイス６０２が動作することに同意したクライアント端末に関連する（１つまたは複数の）データチャネルをモニタすることができる。データメッセージがページングチャネル中で受信されると、プロキシデバイス６０２は、第２の通信インターフェース６０８を通じて、データメッセージをリンクを介して対応するクライアント端末６１２へ転送することができる。データメッセージを転送する際、プロキシデバイス６０２は、データメッセージを、第１のプロトコル（第１の通信インターフェース６０６に関連する）から第２のプロトコル（第２の通信インターフェース６０８に関連する）に変換することができる。
【００５９】
図７は、クライアント端末における電力節減を容易にするための、プロキシデバイスにおいて動作可能な方法を示すフローチャートである。プロキシデバイスがクライアント端末のプロキシとして動作すべきであることを示す、クライアント端末識別子とクライアント端末に関連するデータチャネル情報とを含む要求／通知が、クライアント端末から受信され得る（７０２）。データチャネル情報は、チャネル識別子と、特定のデータチャネルを復号するための１つまたは複数のパラメータとを含み得る。そのような要求／通知は、プロキシデバイスの第１の（たとえばプライマリ）通信インターフェースまたは第２の（たとえばセカンダリ）通信インターフェースのいずれかで、受信され得る。次いで、クライアント識別子と、クライアント端末に関連する（１つまたは複数の）データチャネル情報とが、プロキシデバイスのクライアントプロキシリストに追加され得る（７０４）。次いで、プロキシデバイスは効果的に、クライアント端末に宛てられたデータを、アクセスポイントから受信することができる。プロキシデバイスはまた、確認応答をクライアント端末へ送信して要求を受け入れることができる（７０５）。そのような確認応答によって、クライアント端末が、要求が受け入れられたということを知ることができるので、クライアント端末は第１の通信インターフェースをオフできるようになる。
【００６０】
プロキシデバイスは次いで、第１の通信インターフェースを通じて、クライアント端末向けの（１つまたは複数の）データチャネル上のデータメッセージを、（たとえば受信されたデータチャネル情報を使って）リッスンまたはモニタすることができる（７０６）。プロキシデバイスは、受信されたデータメッセージがプロキシリスト上のクライアント端末に宛てられているかどうかを、判定することができる（７０８）。プロキシリスト中のクライアント端末向けのデータメッセージが受信されない場合、プロキシデバイスは、第１の通信インターフェースを介して、クライアント端末向けの（１つまたは複数の）データチャネル上のデータメッセージをリッスンし続ける（７０６）。プロキシデバイスが、プロキシリスト上のクライアント端末を対象とするデータメッセージを受信した場合、プロキシデバイスは、第２の通信インターフェースを介して、データメッセージをクライアント端末へ転送する（７１０）。
【００６１】
いくつかのオプションの特徴によれば、プロキシデバイスは、クライアント端末について予測される追加のデータメッセージがあるかどうかを、判定することができる（７１２）。たとえば、受信されたデータメッセージが、これから来る複数のパケットからの最初のパケットを含む場合、プロキシデバイスは、クライアント端末がアクセスポイントから直接受信すべきであることを示すモード切り替え信号を、クライアント端末へ送信することができる（７１４）。つまり、モード切り替え信号は、クライアント端末に、アクセスポイントへの通信インターフェースをアクティブ化させることができる。データメッセージが対応するクライアント端末に転送されると、クライアント端末は、プロキシデバイスのクライアントプロキシリストから除去され得る（７１６）。
【００６２】
図１、図２、図３、図４、図５、図６および／または図７に示した構成要素、ステップ、特徴および／または機能のうちの１つまたは複数は、単一の構成要素、ステップ、特徴または機能に再構成され、かつ／もしくは組み合わされてよく、または、いくつかの構成要素、ステップ、もしくは機能で具現化され得る。また、本発明から逸脱することなく追加の要素、構成要素、ステップ、および／または機能が追加され得る。図１、図３、図４、および／または図６に示される装置、デバイス、および／または構成要素は、図２、図３、図５、および／または図７で説明された方法、特徴、またはステップのうちの１つまたは複数を実行するように構成され得る。本明細書で説明される新規のアルゴリズムはまた、効率的にソフトウェアで実装され、かつ／またはハードウェアに組み込まれ得る。
【００６３】
また、実施形態は、フローチャート、フローチャート、構造図、またはブロック図として示されるプロセスとして説明されることがあることに留意されたい。フローチャートは動作を逐次プロセスとして説明することがあるが、動作の多くは並行してまたは同時に実行できる。さらに、動作の順序は並び替えられてもよい。プロセスは、その動作が完了すると終了する。プロセスは、メソッド、関数、プロシージャ、サブルーチン、サブプログラムなどに対応し得る。プロセスが関数に対応する場合、その終了は呼出し側関数またはメイン関数への関数の復帰に対応する。
【００６４】
さらに、記憶媒体は、読取り専用メモリ（ＲＯＭ）、ランダムアクセスメモリ（ＲＡＭ）、磁気ディスク記憶媒体、光記憶媒体、フラッシュメモリデバイスならびに／または、情報を記憶するための他の機械可読媒体、プロセッサ可読媒体、および／もしくはコンピュータ可読媒体を含む、データを記憶するための１つまたは複数のデバイスを表し得る。「機械可読媒体」、「コンピュータ可読媒体」、および／または「プロセッサ可読媒体」という用語は、限定はされないが、ポータブルまたは固定記憶デバイス、光記憶デバイス、ならびに（１つまたは複数の）命令および／またはデータを記憶、格納、または担持することが可能な様々な他の媒体を含み得る。したがって、本明細書で説明される様々な方法は、「機械可読媒体」、「コンピュータ可読媒体」、および／または「プロセッサ可読媒体」に記憶され、１つまたは複数のプロセッサ、機械および／またはデバイスによって実行され得る、命令および／またはデータによって完全にまたは部分的に実装され得る。
【００６５】
さらに、実施形態は、ハードウェア、ソフトウェア、ファームウェア、ミドルウェア、マイクロコード、またはこれらの任意の組合せによって実装され得る。ソフトウェア、ファームウェア、ミドルウェアまたはマイクロコードで実装される場合、必要なタスクを実行するためのプログラムコードまたはコードセグメントは、記憶媒体または（１つまたは複数の）他の記憶装置などの機械可読媒体に記憶され得る。プロセッサは、必要なタスクを実行することができる。コードセグメントは、プロシージャ、関数、サブプログラム、プログラム、ルーチン、サブルーチン、モジュール、ソフトウェアパッケージ、クラス、または、命令、データ構造、もしくはプログラムステートメントの任意の組合せを表し得る。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む適切な手段を介して、パスされ、転送され、または送信され得る。
【００６６】
本明細書で開示される例に関連して説明される様々な例示的な論理ブロック、モジュール、回路、要素、および／または構成要素は、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブルロジック構成要素、個別ゲートもしくはトランジスタ論理回路、個別ハードウェア構成要素、または、本明細書で説明する機能を実行するように設計されたこれらの任意の組合せを用いて、実装または実行され得る。汎用プロセッサはマイクロプロセッサであってよいが、代替として、プロセッサは、任意の従来のプロセッサ、コントローラ、マイクロコントローラ、または状態機械であってもよい。プロセッサはまた、コンピューティング構成要素の組合せ、たとえば、ＤＳＰとマイクロプロセッサの組合せ、複数のマイクロプロセッサ、ＤＳＰコアと連携する１つまたは複数のマイクロプロセッサ、または任意の他のそのような構成として実装され得る。
【００６７】
本明細書で開示される例に関連して説明される方法またはアルゴリズムは、ハードウェア、プロセッサによって実行可能なソフトウェアモジュール、またはこれら両方の組合せで、処理ユニット、プログラム命令、または他の指示の形で直接具現化されてよく、単一のデバイスに含まれるかまたは複数のデバイスにわたって分散されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。記憶媒体は、プロセッサがその記憶媒体から情報を読み取り、その記憶媒体に情報を書き込むことができるように、プロセッサに結合され得る。代替として、記憶媒体はプロセッサに組み込まれてもよい。
【００６８】
さらに、本明細書で開示される実施形態に関連して説明された様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。
【００６９】
本明細書で説明される本発明の様々な特徴は、本発明から逸脱することなく様々なシステムで実装され得る。上記の実施形態は例にすぎず、本発明を限定するものと解釈すべきではないことに留意されたい。実施形態の説明は、例示的なものであり、特許請求の範囲を限定するものではない。したがって、本教示は、他のタイプの装置に容易に適用でき、多くの代替形態、修正形態、変形形態が当業者には明らかであろう。
以下に、本願出願の当初の特許請求の範囲に記載された発明を付記する。
［Ｃ１］
アクセスポイントとワイヤレスに通信するための第１の通信インターフェースと、
プロキシデバイスとワイヤレスに通信するための第２の通信インターフェースと、
前記第１の通信インターフェースおよび前記第２の通信インターフェースに結合された処理回路であって、
前記第１の通信インターフェースが前記アクセスポイントと通信可能に接続され、前記クライアント端末の動作モードが前記アクセスポイントに知られている、第１のモードで動作し、
前記クライアント端末向けのデータチャネルをモニタし、前記第２の通信インターフェースを介して前記クライアント端末向けのデータメッセージを転送することによって、プロキシデバイスにプロキシとして動作するように要求する要求を、前記プロキシデバイスへ送信し、
前記第１の通信インターフェースが前記アクセスポイントから通信可能に切断されつつ、前記クライアント端末が前記第１のモードで動作していると前記アクセスポイントが依然として判断する、第２のモードで動作し、
前記プロキシデバイスからの転送されたデータメッセージについて前記第２の通信インターフェースをモニタする
ように構成される処理回路と
を備える、クライアント端末。
［Ｃ２］
前記第１の通信インターフェースを使うことは、前記第２の通信インターフェースを使うことよりも多くの電力を消費する、
［Ｃ１］に記載のクライアント端末。
［Ｃ３］
前記第１の通信インターフェースは、前記第２の通信インターフェースよりも長い距離を有する、
［Ｃ１］に記載のクライアント端末。
［Ｃ４］
前記第１の通信インターフェースは、前記第２の通信インターフェースよりも広い帯域幅を有する、
［Ｃ１］に記載のクライアント端末。
［Ｃ５］
前記第１の通信インターフェースおよび前記第２の通信インターフェースのうちの少なくとも１つが、ワイヤレス通信インターフェースである、
［Ｃ１］に記載のクライアント端末。
［Ｃ６］
前記第１のモードの前記クライアント端末は、前記第１の通信インターフェースを介して、データメッセージについて前記データチャネルをモニタする、
［Ｃ１］に記載のクライアント端末。
［Ｃ７］
前記第２のモードの前記データチャネルは、前記クライアント端末によってモニタされない、
［Ｃ１］に記載のクライアント端末。
［Ｃ８］
前記第１の通信インターフェースは、符号分割多元接続（ＣＤＭＡ）対応インターフェースであり、前記第２の通信インターフェースが任意のＢｌｕｅｔｏｏｔｈ対応インターフェースである、
［Ｃ１］に記載のクライアント端末。
［Ｃ９］
処理回路は、
前記クライアント端末が前記第１のモードから前記第２のモードへ切り替わるべきかどうかを判定し、
前記第１の通信インターフェースの非活動時間が閾値の時間を超えると、前記第１のモードから前記第２のモードへ切り替わる
ようにさらに構成される、［Ｃ１］に記載のクライアント端末。
［Ｃ１０］
前記処理回路は、
前記第２の通信インターフェースを介して、前記プロキシデバイスから転送されたデータメッセージを受信する
ようにさらに構成される、［Ｃ１］に記載のクライアント端末。
［Ｃ１１］
前記処理回路は、
前記転送されたデータメッセージを受信した後、前記クライアント端末が前記第２のモードから前記第１のモードに切り替わるべきであるかどうかを判定し、
前記データチャネルを通じた追加のデータメッセージが予測される場合に、前記第１のモードへ切り替える
ように構成される、［Ｃ１０］に記載のクライアント端末。
［Ｃ１２］
前記処理回路は、
前記第２の通信インターフェースを介して、確認応答メッセージを前記プロキシデバイスに送信する
ようにさらに構成される、［Ｃ１０］に記載のクライアント端末。
［Ｃ１３］
前記処理回路は、
前記プロキシデバイスから起動信号を受信し、前記起動信号が、前記クライアント端末向けのデータメッセージが前記データチャネルを通じてすぐに来ることを示し、
前記起動信号の結果として、前記第１のモードへ切り替わる
ようにさらに構成される、［Ｃ１０］に記載のクライアント端末。
［Ｃ１４］
クライアント端末上で動作可能な方法であって、
第１の通信インターフェースがアクセスポイントと通信可能に接続され、前記クライアント端末の動作モードが前記アクセスポイントに知られている、第１のモードで前記クライアント端末を動作させることと、
前記クライアント端末向けのデータチャネルをモニタし、第２の通信インターフェースを介して前記クライアント端末向けのデータメッセージを転送することによって、プロキシデバイスにプロキシとして動作するように要求する要求を、前記プロキシデバイスへ送信することと、
前記第１の通信インターフェースが前記アクセスポイントから通信可能に切断されつつ、前記クライアント端末が前記第１のモードで動作していると前記アクセスポイントが依然として判断する、第２のモードで動作することと、
前記プロキシデバイスによって転送された前記アクセスポイントからのデータメッセージについて、前記第２の通信インターフェースをモニタすることと
を備える、方法。
［Ｃ１５］
前記クライアント端末が前記第１のモードから前記第２のモードへ切り替わるべきかどうかを判定することと、
前記第１の通信インターフェースの非活動時間が閾値の時間を超えると、前記第１のモードから前記第２のモードへ切り替わることと
をさらに備える、［Ｃ１４］に記載の方法。
［Ｃ１６］
前記第２の通信インターフェースを介して、前記プロキシデバイスから転送されたデータメッセージを受信すること
をさらに備える、［Ｃ１４］に記載の方法。
［Ｃ１７］
前記転送されたデータメッセージを受信した後、前記クライアント端末が前記第２のモードから前記第１のモードに切り替わるべきであるかどうかを判定することと、
前記データチャネルを通じた追加のデータメッセージが予測される場合に、前記第１のモードへ切り替えることと
をさらに備える、［Ｃ１４］に記載の方法。
［Ｃ１８］
前記プロキシデバイスから起動信号を受信することと、ここで、前記起動信号は、前記クライアント端末向けのデータメッセージが前記データチャネルを通じてすぐに来ることを示す、
前記起動信号の結果として、前記第１のモードへ切り替えることと
をさらに備える、［Ｃ１４］に記載の方法。
［Ｃ１９］
前記要求は、クライアント端末識別子と、チャネル識別子と、前記データチャネルのための１つまたは複数の復号パラメータとを含む、
［Ｃ１４］に記載の方法。
［Ｃ２０］
前記クライアント端末のためのプロキシとしてプロキシデバイスが動作していることを示す、確認応答を前記プロキシデバイスから受信することをさらに備える、
［Ｃ１４］に記載の方法。
［Ｃ２１］
前記第１のモードが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における接続モードである、
［Ｃ１４］に記載の方法。
［Ｃ２２］
前記接続モードが、Ｃｅｌｌ  Ｄｅｄｉｃａｔｅｄ  Ｃｈａｎｎｅｌ（Ｃｅｌｌ＿ＤＣＨ）と、Ｃｅｌｌ  Ｆｏｒｗａｒｄ  Ａｃｃｅｓｓ  Ｃｈａｎｎｅｌ（Ｃｅｌｌ＿ＦＡＣＨ）と、Ｃｅｌｌ  Ｐａｇｉｎｇ  Ｃｈａｎｎｅｌ（Ｃｅｌｌ＿ＰＣＨ）と、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）  Ｒｅｇｉｓｔｒａｔｉｏｎ  Ａｒｅａ  Ｐａｇｉｎｇ  Ｃｈａｎｎｅｌ（ＵＲＡ＿ＰＣＨ）とのうちの少なくとも１つを使う、
［Ｃ２１］に記載の方法。
［Ｃ２３］
前記第２のモードが、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における非接続モードまたはアイドルモードである、
［Ｃ１４］に記載の方法。
［Ｃ２４］
前記第１のモードが、Ｅｖｏｌｕｔｉｏｎ  Ｄａｔａ  Ｏｎｌｙ（ＥＶＤＯ）規格における接続モードであり、前記接続モードがアクティブモードである、
［Ｃ１４］に記載の方法。
［Ｃ２５］
前記第２のモードが、Ｅｖｏｌｕｔｉｏｎ  Ｄａｔａ  Ｏｎｌｙ（ＥＶＤＯ）規格における非接続モードであり、前記非接続モードが、中断モードと、アイドルモードと、スリープモードと、オフモードとのうちの少なくとも１つである、
［Ｃ１４］に記載の方法。
［Ｃ２６］
前記第１の通信インターフェースが前記アクセスポイントと通信可能に接続され、前記クライアント端末の動作モードが前記アクセスポイントに知られている、第１のモードで動作するための手段と、
前記クライアント端末向けのデータチャネルをモニタし、前記第２の通信インターフェースを介して前記クライアント端末向けのデータメッセージを転送することによって、プロキシデバイスにプロキシとして動作するように要求する要求を、前記プロキシデバイスへ送信するための手段と、
前記第１の通信インターフェースが前記アクセスポイントから通信可能に切断されつつ、前記クライアント端末が前記第１のモードで動作していると前記アクセスポイントが依然として判断する、第２のモードで動作するための手段と、
前記プロキシデバイスからの転送されたデータメッセージについて前記第２の通信インターフェースをモニタするための手段と
を備える、クライアント端末。
［Ｃ２７］
クライアント端末において電力を節減するための、前記クライアント端末上で動作可能な１つまたは複数の命令を有するプロセッサ可読媒体であって、前記１つまたは複数の命令が、プロセッサによって実行されると、前記プロセッサに、
前記第１の通信インターフェースがアクセスポイントと通信可能に接続され、前記クライアント端末の動作モードが前記アクセスポイントに知られている、第１のモードで動作させ、
前記クライアント端末向けのデータチャネルをモニタし、第２の通信インターフェースを介して前記クライアント端末向けのデータメッセージを転送することによって、プロキシデバイスにプロキシとして動作するように要求する要求を、プロキシデバイスへ送信させ、
前記第１の通信インターフェースが前記アクセスポイントから通信可能に切断されつつ、前記クライアント端末が前記第１のモードで動作していると前記アクセスポイントが依然として判断する、第２のモードで動作させ、
前記プロキシデバイスからの転送されたデータメッセージについて前記第２の通信インターフェースをモニタさせる、
プロセッサ可読媒体。
［Ｃ２８］
アクセスポイントとワイヤレスに通信するための第１の通信インターフェースと、
クライアント端末とワイヤレスに通信するための第２の通信インターフェースと、
前記第１の通信インターフェースおよび前記第２の通信インターフェースに結合された処理回路であって、
前記クライアント端末のプロキシとして動作せよという要求を前記クライアント端末から受信し、
前記第１の通信インターフェースを介して、前記クライアント端末向けのデータチャネル上のデータメッセージをモニタし、
前記第２の通信インターフェースを介して、受信されたデータメッセージを前記クライアント端末へ送信する
ように構成される処理回路と
を備える、プロキシデバイス。
［Ｃ２９］
前記第１の通信インターフェースを使うことが、前記第２の通信インターフェースを使うことよりも多くの電力を消費する、［Ｃ２８］に記載のプロキシデバイス。
［Ｃ３０］
前記第１の通信インターフェースが、前記第２の通信インターフェースよりも長い距離を有する、
［Ｃ２８］に記載のプロキシデバイス。
［Ｃ３１］
前記第１の通信インターフェースおよび前記第２の通信インターフェースのうちの少なくとも１つが、ワイヤレス通信インターフェースである、
［Ｃ２８］に記載のプロキシデバイス。
［Ｃ３２］
前記第１の通信インターフェースが符号分割多元接続（ＣＤＭＡ）対応インターフェースであり、前記第２の通信インターフェースが任意のＢｌｕｅｔｏｏｔｈ対応インターフェースである、
［Ｃ２８］に記載のプロキシデバイス。
［Ｃ３３］
前記処理回路は、
前記クライアント端末をプロキシリストに追加し、
前記クライアント端末に確認応答を送信して前記要求を受け入れる
ようにさらに構成される、［Ｃ２８］に記載のプロキシデバイス。
［Ｃ３４］
前記アクセスポイントが、前記クライアント端末が実際には前記アクセスポイントから切断されている時に、前記アクセスポイントは、前記クライアント端末と直接通信していると判断する、
［Ｃ２８］に記載のプロキシデバイス。
［Ｃ３５］
前記処理回路は、
前記データメッセージの一部分が前記クライアント端末に送信された後、前記クライアント端末を前記プロキシリストから削除する
ようにさらに構成される、［Ｃ２８］に記載のプロキシデバイス。
［Ｃ３６］
前記処理回路は、
前記第１の通信インターフェースと関連付けられる第１の通信プロトコルから、前記第２の通信インターフェースと関連付けられる第２の通信プロトコルへと、前記データメッセージを変換する
ようにさらに構成される、［Ｃ２８］に記載のプロキシデバイス。
［Ｃ３７］
前記クライアント端末からの前記要求が、クライアント端末識別子と、データチャネル識別子と、前記クライアント端末と関連する前記データチャネルのための１つまたは複数の復号パラメータとを含む、
［Ｃ２８］に記載のプロキシデバイス。
［Ｃ３８］
前記処理回路は、
前記データメッセージを前記クライアント端末へ送信したことに応答して、前記第２の通信インターフェースを介して確認応答メッセージを受信し、
前記第２の通信インターフェースを介して、前記確認応答メッセージを前記アクセスポイントに転送する
ようにさらに構成される、［Ｃ２８］に記載のプロキシデバイス。
［Ｃ３９］
前記処理回路は、
前記クライアント端末のための前記データメッセージを受信した後、追加のデータメッセージが差し迫っているかどうかを判定し、
追加のデータメッセージが差し迫っていると判定された場合、起動信号を前記プロキシデバイスから送信する
ようにさらに構成される、［Ｃ２８］に記載のプロキシデバイス。
［Ｃ４０］
前記クライアント端末のプロキシとして動作している時、前記クライアント端末の動作モードが、前記アクセスポイントの予測するものとは異なる、
［Ｃ２８］に記載のプロキシデバイス。
［Ｃ４１］
プロキシデバイス上で動作可能な方法であって、
クライアント端末のプロキシとして動作せよという要求を前記クライアント端末から受信することと、
第１の通信インターフェースを介して、前記クライアント端末向けのデータチャネル上のデータメッセージをモニタすることと、
第２の通信インターフェースを介して、受信されたデータメッセージを前記クライアント端末へ送信することと
を備える、方法。
［Ｃ４２］
前記第１の通信インターフェースと関連付けられる第１の通信プロトコルから、前記第２の通信インターフェースと関連付けられる第２の通信プロトコルへと、前記データメッセージを変換することをさらに備える、
［Ｃ４１］に記載の方法。
［Ｃ４３］
所与のデータメッセージサイズに対して、前記第１の通信インターフェースが前記第２の通信インターフェースよりも多くの電力を消費する、
［Ｃ４１］に記載の方法。
［Ｃ４４］
前記プロキシデバイスは、複数のクライアント端末に関連するデータチャネルをモニタすることによって、前記複数のクライアント端末のプロキシとして動作する、
［Ｃ４１］に記載の方法。
［Ｃ４５］
前記データメッセージを前記クライアント端末へ送信したことに応答して、前記第２の通信インターフェースを介して確認応答メッセージを受信することと、
前記第２の通信インターフェースを介して、前記確認応答メッセージを前記アクセスポイントに転送することと
をさらに備える、
［Ｃ４１］に記載の方法。
［Ｃ４６］
前記クライアント端末のための前記データメッセージを受信した後、追加のデータメッセージが差し迫っているかどうかを判定することと、
追加のデータメッセージが差し迫っていると判定された場合、起動信号を前記プロキシデバイスから送信することと
をさらに備える、［Ｃ４１］に記載の方法。
［Ｃ４７］
前記クライアント端末のプロキシとして動作している時、前記クライアント端末の動作モードは、前記アクセスポイントの予測するものとは異なる、
［Ｃ４１］に記載の方法。
［Ｃ４８］
前記クライアント端末をプロキシリストに追加することと、
前記クライアント端末に確認応答を送信して前記要求を受け入れることとをさらに備える、
［Ｃ４１］に記載の方法。
［Ｃ４９］
前記アクセスポイントが、前記クライアント端末が実際には前記アクセスポイントから切断されている時に、前記アクセスポイントは前記クライアント端末と直接通信していると判断する、
［Ｃ４１］に記載の方法。
［Ｃ５０］
前記クライアント端末が、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における接続モードで動作していると、前記アクセスポイントが判断する、
［Ｃ４１］に記載の方法。
［Ｃ５１］
前記接続モードが、Ｃｅｌｌ  Ｄｅｄｉｃａｔｅｄ  Ｃｈａｎｎｅｌ（Ｃｅｌｌ＿ＤＣＨ）と、Ｃｅｌｌ  Ｆｏｒｗａｒｄ  Ａｃｃｅｓｓ  Ｃｈａｎｎｅｌ（Ｃｅｌｌ＿ＦＡＣＨ）と、Ｃｅｌｌ  Ｐａｇｉｎｇ  Ｃｈａｎｎｅｌ（Ｃｅｌｌ＿ＰＣＨ）と、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）  Ｒｅｇｉｓｔｒａｔｉｏｎ  Ａｒｅａ  Ｐａｇｉｎｇ  Ｃｈａｎｎｅｌ（ＵＲＡ＿ＰＣＨ）とのうちの少なくとも１つを使う、
［Ｃ５０］に記載の方法。
［Ｃ５２］
前記クライアント端末が、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）規格によって定義されるような、無線リソース制御における非接続モードまたはアイドルモードで実際には動作している、
［Ｃ５０］に記載の方法。
［Ｃ５３］
前記クライアント端末がＥｖｏｌｕｔｉｏｎ  Ｄａｔａ  Ｏｎｌｙ（ＥＶＤＯ）規格において定義されるような接続モードで動作していると、前記アクセスポイントが判断し、前記接続モードがアクティブモードである、
［Ｃ４１］に記載の方法。
［Ｃ５４］
前記クライアント端末が、実際にはＥｖｏｌｕｔｉｏｎ  Ｄａｔａ  Ｏｎｌｙ（ＥＶＤＯ）規格における非接続モードで動作しており、前記非接続モードが、中断モード、アイドルモード、スリープモード、およびオフモードのうちの少なくとも１つである、
［Ｃ５３］に記載の方法。
［Ｃ５５］
前記クライアント端末のプロキシとして動作せよという要求を前記クライアント端末から受信するための手段と、
第１の通信インターフェースを介して、前記クライアント端末向けのデータチャネル上のデータメッセージをモニタするための手段と、
第２の通信インターフェースを介して、受信されたデータメッセージを前記クライアント端末へ送信するための手段と
を備える、プロキシデバイス。
［Ｃ５６］
クライアント端末における電力節減を容易にするための、プロキシデバイス上で動作可能な１つまたは複数の命令を有するプロセッサ可読媒体であって、前記１つまたは複数の命令が、プロセッサによって実行されると、前記プロセッサに、
前記クライアント端末のプロキシとして動作せよという要求を前記クライアント端末から受信させ、
第１の通信インターフェースを介して、前記クライアント端末向けのデータチャネル上のデータメッセージをモニタさせ、
第２の通信インターフェースを介して、受信されたデータメッセージを前記クライアント端末へ送信させる、プロセッサ可読媒体。
【図１】
0005453576.tif 000002
【図２】
0005453576.tif 000003
【図３】
0005453576.tif 000004
【図４】
0005453576.tif 000005
【図５Ａ】
0005453576.tif 000006
【図５Ｂ】
0005453576.tif 000007
【図６】
0005453576.tif 000008
【図７】
0005453576.tif 000009